(57)【要約】【課題】研磨装置ごとに研磨テーブルの回転方向を変更できる基板処理装置を提供する。【解決手段】基板処理装置は、研磨部と、搬送部とを備える。研磨部は、第１研磨ユニットおよび第２研磨ユニットと、研磨部搬送機構とを有する。第１研磨ユニットは、第１研磨装置および第２研磨装置を有する。第２研磨ユニットは、第３研磨装置および第４研磨装置を有する。第１〜第４研磨装置は、それぞれ、研磨パッドが取り付けられた研磨テーブルと、トップリングと、研磨中の研磨パッドに対して処理を行う補助ユニットと、を有する。研磨テーブルの周囲には、補助ユニットを、トップリングの揺動中心と研磨テーブルの回転中心とを結ぶ直線に対して左右切替可能に取り付けるための一対の補助ユニット取付部が、前記直線に対して左右対称の位置に設けられている。【選択図】  図４Ｂ
2020142329.tif 000002
【特許請求の範囲】
【請求項１】
基板を研磨する研磨部と、
研磨前の基板を前記研磨部へ搬送する搬送部と、
を備え、
前記研磨部は、
第１研磨ユニットおよび第２研磨ユニットと、
前記搬送部と前記第１研磨ユニットおよび前記第２研磨ユニットのそれぞれに隣接するように配置された研磨部搬送機構と、
を有し、
前記研磨部搬送機構は、
前記第１研磨ユニットに基板を搬送する第１搬送ユニットと、
前記第２研磨ユニットに基板を搬送する第２搬送ユニットと、
前記第１搬送ユニットと前記第２搬送ユニットとの間に配置され、前記搬送部と前記第１搬送ユニットおよび前記第２搬送ユニットとの間の基板の受け渡しを行う搬送ロボットと、
を有し、
前記第１研磨ユニットは、第１研磨装置および第２研磨装置を有し、
前記第２研磨ユニットは、第３研磨装置および第４研磨装置を有し、
前記第１研磨装置、前記第２研磨装置、前記第３研磨装置および前記第４研磨装置は、それぞれ、
研磨面を有する研磨パッドが取り付けられた研磨テーブルと、
ウェハを保持しかつウェハを研磨テーブル上の研磨パッドに押圧しながら研磨するためのトップリングと、
研磨中の研磨パッドに対して処理を行う補助ユニットと、
を有し、
前記研磨テーブルの周囲には、前記補助ユニットを、前記トップリングの揺動中心と前記研磨テーブルの回転中心とを結ぶ直線に対して左右切替可能に取り付けるための一対の補助ユニット取付部が、前記直線に対して左右対称の位置に設けられている
ことを特徴とする基板処理装置。
【請求項２】
前記第１研磨装置、前記第２研磨装置、前記第３研磨装置および前記第４研磨装置は、一列に並んで配置されており、
前記第１研磨装置のトップリングの揺動中心と前記第２研磨装置のトップリングの揺動中心との間の距離は、前記第１研磨装置の研磨テーブルの回転中心と前記第２研磨装置の研磨テーブルの回転中心との間の距離より短く、
前記第３研磨装置のトップリングの揺動中心と前記第４研磨装置のトップリングの揺動中心との間の距離は、前記第３研磨装置の研磨テーブルの回転中心と前記第４研磨装置の研磨テーブルの回転中心との間の距離より短い
ことを特徴とする請求項１に記載の基板処理装置。
【請求項３】
前記補助ユニットは、研磨パッドに研磨液またはドレッシング液を供給するための研磨液供給ノズルと、研磨パッドの研磨面のドレッシングを行うためのドレッシング装置と、液体と気体の混合気体または液体を霧状にして研磨面に噴射するアトマイザと、研磨パッドの表面温度を調整する研磨パッド温調スライダのうちのいずれか１つまたは２つ以上である
ことを特徴とする請求項１または２に記載の基板処理装置。
【請求項４】
前記補助ユニット取付部は、前記補助ユニットの揺動軸または支柱を通すための、架台に開けられた穴、または前記補助ユニットの揺動軸または支柱を取り付けるための、架台に設けられた台座を含む
ことを特徴とする請求項１〜３のいずれかに記載の基板処理装置。
【請求項５】
前記研磨テーブルの周囲には、前記補助ユニットを洗浄するユニット洗浄機構が、前記直線に対して左右対称の位置に設けられている
ことを特徴とする請求項１〜４のいずれかに記載の基板処理装置。
【請求項６】
前記研磨テーブルのうち、前記研磨テーブルの回転中心から第１距離だけ離れた位置には、第１終点検知センサを取り付けるための第１終点検知センサ取付穴が形成されており、前記研磨テーブルの回転中心から前記第１距離とは異なる第２距離だけ離れた位置には、第２終点検知センサを取り付けるための第２終点検知センサ取付穴が形成されており、
前記第１終点検知センサ取付穴は、前記研磨テーブル上に定められた回転中心を通る１つの研磨テーブル上基準線に対して左右対称の位置に１つずつ形成されており、前記第２終点検知センサ取付穴は、前記研磨テーブル上基準線に対して左右対称の位置に１つずつ形成されている
ことを特徴とする請求項１〜５のいずれかに記載の基板処理装置。
【請求項７】
前記研磨テーブルのうち、前記研磨テーブルの回転中心から第１距離だけ離れた位置には、第１終点検知センサを取り付けるための第１終点検知センサ取付穴が形成されており、前記研磨テーブルの回転中心から前記第１距離とは異なる第２距離だけ離れた位置には、第２終点検知センサを取り付けるための第２終点検知センサ取付穴が形成されており、
前記第１終点検知センサ取付穴は、前記研磨テーブル上に定められた回転中心を通る１つの研磨テーブル上基準線に対して左右対称の位置に１つずつ形成されており、前記第２終点検知センサ取付穴は、前記研磨テーブル上基準線上に１つだけ形成されている
ことを特徴とする請求項１〜５のいずれかに記載の基板処理装置。
【請求項８】
前記第１終点検知センサおよび第２終点検知センサは、光学式の終点検知センサまたは渦電流式の終点検知センサである
ことを特徴とする請求項６または７に記載の基板処理装置。
【発明の詳細な説明】
【技術分野】
【０００１】
本発明は、基板処理装置に関し、特に半導体ウェハなどの基板を平坦に研磨するために用いられる基板処理装置に関する。
【背景技術】
【０００２】
近年、半導体デバイスの高集積化が進むにつれて回路の配線が微細化し、配線間距離もより狭くなりつつある。半導体デバイスの製造では、シリコンウェハの上に多くの種類の材料が膜状に繰り返し形成され、積層構造が形成される。この積層構造を形成するためには、ウェハの表面を平坦にする技術が重要となっている。このようなウェハの表面を平坦化する一手段として、化学機械研磨（ＣＭＰ）を行う研磨装置（化学的機械的研磨装置ともいう）が広く用いられている。
【０００３】
この化学機械研磨（ＣＭＰ）装置は、一般に、研磨パッドが取り付けられた研磨テーブルと、ウェハを保持するトップリングと、研磨液を研磨パッド上に供給するノズルとを備えている。ノズルから研磨液を研磨パッド上に供給しながら、トップリングによりウェハを研磨パッドに押し付け、さらにトップリングと研磨テーブルとを相対移動させることにより、ウェハを研磨してその表面を平坦にする。
【０００４】
基板処理装置は、このようなＣＭＰ装置に加え、研磨後のウェハを洗浄し、さらに乾燥させる機能を有する装置である。このような基板処理装置においては、基板処理のスループットを向上することが求められている。基板処理装置は、研磨や洗浄などを行う様々な処理部を有しているため、各処理部での処理の遅延は、基板処理装置全体のスループットを低下させてしまう。例えば、特許文献１に記載の従来の基板処理装置では、研磨部が複数の研磨ユニットを有している場合であっても、洗浄部には一つの洗浄ラインのみが設けられていたため、複数の研磨されたウェハを同時に洗浄し、乾燥させることができなかった。
【０００５】
また、従来の基板処理装置では、研磨部が第１研磨ユニットと第２研磨ユニットを有している場合、第１研磨ユニットにてウェハを研磨する際には、ロード／アンロード部から第１研磨ユニットへと直接ウェハが搬入されるが、第２研磨ユニットにて基板を研磨する際には、ロード／アンロード部から第１研磨ユニットを介して第２研磨ユニットへとウェハが搬入されていた。そのため、第１研磨ユニットおよび第２研磨ユニットの同一の搬入経路部分にて混雑が生じて、スループットを低下させていた。
【０００６】
また、従来の基板処理装置では、ロード／アンロード部に配置された搬送ロボットが、研磨前のウェハをロード／アンロード部から研磨部へと直接搬入するとともに、洗浄後のウェハを洗浄部からロードアンロード部へと搬出していた。洗浄後のウェハを把持する搬送ロボットのハンドには高い清浄度が必要とされているが、研磨前のウェハを研磨部へと直接搬入する際に研磨環境に触れて汚染される懸念があった。
【先行技術文献】
【特許文献】
【０００７】
【特許文献１】国際公開第２００７／０９９９７６号
【発明の概要】
【発明が解決しようとする課題】
【０００８】
このような従来の基板処理装置の欠点を補うものとして、本件出願人は、図３２に示すように、基板を研磨する研磨部１２と、研磨前の基板を研磨部１２へ搬送する搬送部１４と、研磨後の基板を洗浄する洗浄部１３と、を備え、研磨部１２は、第１研磨ユニット２０ａおよび第２研磨ユニット２０ｂと、第１研磨ユニット２０ａおよび第２研磨ユニット２０ａのそれぞれに隣接するように配置された研磨部搬送機構２２と、を有し、研磨部搬送機構２２は、第１研磨ユニット２０ａに基板を搬送する第１搬送ユニット２４ａと、第２研磨ユニット２０ｂに基板を搬送する第２搬送ユニット２４ｂと、第１搬送ユニット２４ａと第２搬送ユニット２４ｂとの間に配置され、搬送部１４と第１搬送ユニット２４ａおよび第２搬送ユニット２４ｂとの間の基板の受け渡しを行うとともに、第１搬送ユニット２４ａおよび第２搬送ユニット２４ｂと洗浄部１３との間の基板の受け渡しを行う搬送ロボット２３と、を有する、基板処理装置１０を提案する。
【０００９】
ところで、この基板処理装置１０では、図３２に示すように、第１研磨ユニット２０ａが第１研磨装置２１ａおよび第２研磨装置２１ｂを有しており、第２研磨ユニット２０ｂが第３研磨装置２１ｃおよび第４研磨装置２１ｄを有しており、第１研磨装置２１ａ、第２研磨装置２１ｂ、第３研磨装置２１ｃ、および第４研磨装置２１ｄは、基板処理装置１０の長手方向に沿って並んで配置されている構成が考えられる。図３２において、符号２１ａＡ、２１ｂＡ、２１ｃＡ、２１ｄＡは、それぞれ、第１〜第４研磨装置２１ａ〜２１ｄのトップリングの揺動範囲を示しており、符号２３Ａは、搬送ロボット２３の動作範囲を示している。
【００１０】
このような構成において、図３２に示すように、第１研磨装置２１ａと第２研磨装置２１ｂのレイアウトがミラーリング（互いに左右対称に配置）され、第３研磨装置２１ｃと第４研磨装置２１ｄのレイアウトがミラーリングされることにより、装置中央に搬送ロボット２３の配置スペースを確保して、装置の小型化を実現することが可能となる。しかしながら、ミラーリング配置により、研磨テーブルの回転方向が、隣り合う研磨装置間で逆向きになる。研磨テーブルの回転方向が異なると、プロセスに影響する場合がある。
【００１１】
他方、図３３に示すように、第１〜第４研磨装置２１ａ〜２１ｄの研磨テーブルの回転方向が同一方向（図示された例では時計方向ＣＷ）に揃えられたレイアウトにされると、搬送ロボット２３の動作範囲２３Ａと、搬送ロボット２３の近傍に位置する研磨装置（図示された例では第２研磨装置２１ｂ）のトップリングの揺動範囲２１ｂＡとは、この図においては一部重なることになり、搬送ロボット２３の配置スペースを装置中央に十分確保することができず、場合によっては装置が大型化するという問題がある。
【００１２】
本発明は、以上のような点を考慮してなされたものである。本発明の目的は、研磨装置ごとに研磨テーブルの回転方向を変更できる基板処理装置を提供することにある。
【課題を解決するための手段】
【００１３】
本発明の第１の態様に係る基板処理装置は、
基板を研磨する研磨部と、
研磨前の基板を前記研磨部へ搬送する搬送部と、
を備え、
前記研磨部は、
第１研磨ユニットおよび第２研磨ユニットと、
前記搬送部と前記第１研磨ユニットおよび前記第２研磨ユニットのそれぞれに隣接するように配置された研磨部搬送機構と、
を有し、
前記研磨部搬送機構は、
前記第１研磨ユニットに基板を搬送する第１搬送ユニットと、
前記第２研磨ユニットに基板を搬送する第２搬送ユニットと、
前記第１搬送ユニットと前記第２搬送ユニットとの間に配置され、前記搬送部と前記第１搬送ユニットおよび前記第２搬送ユニットとの間の基板の受け渡しを行う搬送ロボットと、
を有し、
前記第１研磨ユニットは、第１研磨装置および第２研磨装置を有し、
前記第２研磨ユニットは、第３研磨装置および第４研磨装置を有し、
前記第１研磨装置、前記第２研磨装置、前記第３研磨装置および前記第４研磨装置は、それぞれ、
研磨面を有する研磨パッドが取り付けられた研磨テーブルと、
ウェハを保持しかつウェハを研磨テーブル上の研磨パッドに押圧しながら研磨するためのトップリングと、
研磨中の研磨パッドに対して処理を行う補助ユニットと、
を有し、
前記研磨テーブルの周囲には、前記補助ユニットを、前記トップリングの揺動中心と前記研磨テーブルの回転中心とを結ぶ直線に対して左右切替可能に取り付けるための一対の補助ユニット取付部が、前記直線に対して左右対称の位置に設けられている。
【００１４】
このような態様によれば、各研磨装置において、一対の補助ユニット取付部が、トップリングの揺動中心と研磨テーブルの回転中心とを結ぶ直線に対して左右対称の位置に設けられているため、研磨中の研磨パッドに対して処理を行う補助ユニットの配置を、研磨テーブルの回転方向に応じて、前記直線に対して左右対称に切り替えることが可能である。これにより、研磨中の研磨パッドの回転方向とウエハに対する補助ユニットの位置関係を維持しながら、研磨装置ごとに研磨テーブルの回転方向を変更できる。
【００１５】
本発明の第２の態様に係る基板処理装置は、第１の態様に係る基板処理装置であって、
前記第１研磨装置、前記第２研磨装置、前記第３研磨装置および前記第４研磨装置は、一列に並んで配置されており、
前記第１研磨装置のトップリングの揺動中心と前記第２研磨装置のトップリングの揺動中心との間の距離は、前記第１研磨装置の研磨テーブルの回転中心と前記第２研磨装置の研磨テーブルの回転中心との間の距離より短く、
前記第３研磨装置のトップリングの揺動中心と前記第４研磨装置のトップリングの揺動中心との間の距離は、前記第３研磨装置の研磨テーブルの回転中心と前記第４研磨装置の研磨テーブルの回転中心との間の距離より短い。
【００１６】
このような態様によれば、第２研磨装置のトップリングの揺動範囲と第３研磨装置のトップリングの揺動範囲との間の間隔が広がるため、装置中央に搬送ロボットの配置スペースを確保して、装置の小型化を実現することが可能となる。
【００１７】
本発明の第３の態様に係る基板処理装置は、第１または２の態様に係る基板処理装置であって、
前記補助ユニットは、研磨パッドに研磨液またはドレッシング液を供給するための研磨液供給ノズルと、研磨パッドの研磨面のドレッシングを行うためのドレッシング装置と、液体と気体の混合気体または液体を霧状にして研磨面に噴射するアトマイザと、研磨パッドの表面温度を調整する研磨パッド温調スライダのうちのいずれか１つまたは２つ以上である。
【００１８】
本発明の第４の態様に係る基板処理装置は、第１〜３のいずれかの態様に係る基板処理装置であって、
前記補助ユニット取付部は、前記補助ユニットの揺動軸または支柱を通すための、架台に開けられた穴、または前記補助ユニットの揺動軸または支柱を取り付けるための、架台に設けられた台座を含む。
【００１９】
本発明の第５の態様に係る基板処理装置は、第１〜４のいずれかの態様に係る基板処理装置であって、
前記研磨テーブルの周囲には、前記補助ユニットを洗浄するユニット洗浄機構が、前記直線に対して左右対称の位置に設けられている。
【００２０】
このような態様によれば、研磨テーブルの回転方向に応じて、補助ユニットの配置を左右対称に切り替えた場合であっても、同じ条件で補助ユニットを洗浄することが可能である。
【００２１】
本発明の第６の態様に係る基板処理装置は、第１〜５のいずれかの態様に係る基板処理装置であって、
前記研磨テーブルのうち、前記研磨テーブルの回転中心から第１距離だけ離れた位置には、第１終点検知センサを取り付けるための第１終点検知センサ取付穴が形成されており、前記研磨テーブルの回転中心から前記第１距離とは異なる第２距離だけ離れた位置には、第２終点検知センサを取り付けるための第２終点検知センサ取付穴が形成されており、
前記第１終点検知センサ取付穴は、前記研磨テーブル上に定められた回転中心を通る１つの研磨テーブル上基準線に対して左右対称の位置に１つずつ形成されており、前記第２終点検知センサ取付穴は、前記研磨テーブル上基準線に対して左右対称の位置に１つずつ形成されている。
【００２２】
本発明の第７の態様に係る基板処理装置は、第１〜５のいずれかの態様に係る基板処理装置であって、
前記研磨テーブルのうち、前記研磨テーブルの回転中心から第１距離だけ離れた位置には、第１終点検知センサを取り付けるための第１終点検知センサ取付穴が形成されており、前記研磨テーブルの回転中心から前記第１距離とは異なる第２距離だけ離れた位置には、第２終点検知センサを取り付けるための第２終点検知センサ取付穴が形成されており、
前記第１終点検知センサ取付穴は、前記研磨テーブル上に定められた回転中心を通る１つの研磨テーブル上基準線に対して左右対称の位置に１つずつ形成されており、前記第２終点検知センサ取付穴は、前記研磨テーブル上基準線上に１つだけ形成されている。
【００２３】
本発明の第８の態様に係る基板処理装置は、第６または７の態様に係る基板処理装置であって、
前記第１終点検知センサおよび第２終点検知センサは、光学式の終点検知センサまたは渦電流式の終点検知センサである。
【発明の効果】
【００２４】
本発明によれば、研磨装置ごとに研磨テーブルの回転方向を変更できる。
【図面の簡単な説明】
【００２５】
【図１】図１は、本発明の一実施の形態における基板処理装置の全体構成を示す平面図である。
【図２】図２は、図１に示す基板処理装置を洗浄部側から見た側面図である。
【図３】図３は、図１に示す基板処理装置の搬送部を示す分解斜視図である。
【図４Ａ】図４Ａは、図１に示す基板処理装置の第１研磨装置を模式的に示す斜視図である。
【図４Ｂ】図４Ｂは、図１に示す基板処理装置の第１研磨装置を模式的に示す平面図である。
【図４Ｃ】図４Ｃは、図１に示す基板処理装置の第１研磨装置を模式的に示す平面図である。
【図５】図５は、図１に示す基板処理装置の搬送ロボットの側面図である。
【図６】図６は、図１に示す基板処理装置の第１搬送機構を示す斜視図である。
【図７】図７は、図６に示す第１搬送機構の第１プッシャを示す縦断面図である。
【図８】図８は、図２に示す洗浄部の第１ウェハステーションを示す斜視図である。
【図９】図９は、図８に示す第１ウェハステーションの内部構成を示す分解斜視図である。
【図１０】図１０は、図２に示す洗浄部の第２ウェハステーションを示す斜視図である。
【図１１】図１１は、図１０に示す第２ウェハステーションの内部構成を示す分解斜視図である。
【図１２】図１２は、図２に示す洗浄部の第１洗浄ユニットの洗浄部搬送機構を示す図である。
【図１３Ａ】図１３Ａは、図１２に示す洗浄部搬送機構の第２ウェハ把持機構の動作を説明するための模式図である。
【図１３Ｂ】図１３Ｂは、図１２に示す洗浄部搬送機構の第２ウェハ把持機構の動作を説明するための模式図である。
【図１３Ｃ】図１３Ｃは、図１２に示す洗浄部搬送機構の第２ウェハ把持機構の動作を説明するための模式図である。
【図１３Ｄ】図１３Ｄは、図１２に示す洗浄部搬送機構の第２ウェハ把持機構の動作を説明するための模式図である。
【図１３Ｅ】図１３Ｅは、図１２に示す洗浄部搬送機構の第２ウェハ把持機構の動作を説明するための模式図である。
【図１３Ｆ】図１３Ｆは、図１２に示す洗浄部搬送機構の第２ウェハ把持機構の動作を説明するための模式図である。
【図１４】図１４は、図１２に示す洗浄部搬送機構の第２ウェハ把持機構が上段のチャックコマにて基板を把持した状態を示す斜視図である。
【図１５】図１５は、図１２に示す洗浄部搬送機構の第２ウェハ把持機構が下段のチャックコマにて基板を把持した状態を示す斜視図である。
【図１６Ａ】図１６Ａは、搬送部の動作を説明するための模式図である。
【図１６Ｂ】図１６Ｂは、搬送部の動作を説明するための模式図である。
【図１６Ｃ】図１６Ｃは、搬送部の動作を説明するための模式図である。
【図１７Ａ】図１７Ａは、搬送ロボットの動作を説明するための模式図である。
【図１７Ｂ】図１７Ｂは、搬送ロボットの動作を説明するための模式図である。
【図１７Ｃ】図１７Ｃは、搬送ロボットの動作を説明するための模式図である。
【図１７Ｄ】図１７Ｄは、搬送ロボットの動作を説明するための模式図である。
【図１８Ａ】図１８Ａは、第１搬送機構の動作を説明するための模式図である。
【図１８Ｂ】図１８Ｂは、第１搬送機構の動作を説明するための模式図である。
【図１８Ｃ】図１８Ｃは、第１搬送機構の動作を説明するための模式図である。
【図１８Ｄ】図１８Ｄは、第１搬送機構の動作を説明するための模式図である。
【図１８Ｅ】図１８Ｅは、第１搬送機構の動作を説明するための模式図である。
【図１８Ｆ】図１８Ｆは、第１搬送機構の動作を説明するための模式図である。
【図１８Ｇ】図１８Ｇは、第１搬送機構の動作を説明するための模式図である。
【図１８Ｈ】図１８Ｈは、第１搬送機構の動作を説明するための模式図である。
【図１８Ｉ】図１８Ｉは、第１搬送機構の動作を説明するための模式図である。
【図１８Ｊ】図１８Ｊは、第１搬送機構の動作を説明するための模式図である。
【図１８Ｋ】図１８Ｋは、第１搬送機構の動作を説明するための模式図である。
【図１８Ｌ】図１８Ｌは、第１搬送機構の動作を説明するための模式図である。
【図１８Ｍ】図１８Ｍは、第１搬送機構の動作を説明するための模式図である。
【図１８Ｎ】図１８Ｎは、第１搬送機構の動作を説明するための模式図である。
【図１８Ｏ】図１８Ｏは、第１搬送機構の動作を説明するための模式図である。
【図１９Ａ】図１９Ａは、第１搬送機構の動作を説明するための模式図である。
【図１９Ｂ】図１９Ｂは、第１搬送機構の動作を説明するための模式図である。
【図１９Ｃ】図１９Ｃは、第１搬送機構の動作を説明するための模式図である。
【図１９Ｄ】図１９Ｄは、第１搬送機構の動作を説明するための模式図である。
【図１９Ｅ】図１９Ｅは、第１搬送機構の動作を説明するための模式図である。
【図１９Ｆ】図１９Ｆは、第１搬送機構の動作を説明するための模式図である。
【図１９Ｇ】図１９Ｇは、第１搬送機構の動作を説明するための模式図である。
【図１９Ｈ】図１９Ｈは、第１搬送機構の動作を説明するための模式図である。
【図１９Ｉ】図１９Ｉは、第１搬送機構の動作を説明するための模式図である。
【図１９Ｊ】図１９Ｊは、第１搬送機構の動作を説明するための模式図である。
【図１９Ｋ】図１９Ｋは、第１搬送機構の動作を説明するための模式図である。
【図１９Ｌ】図１９Ｌは、第１搬送機構の動作を説明するための模式図である。
【図１９Ｍ】図１９Ｍは、第１搬送機構の動作を説明するための模式図である。
【図１９Ｎ】図１９Ｎは、第１搬送機構の動作を説明するための模式図である。
【図１９Ｏ】図１９Ｏは、第１搬送機構の動作を説明するための模式図である。
【図１９Ｐ】図１９Ｐは、第１搬送機構の動作を説明するための模式図である。
【図２０Ａ】図２０Ａは、洗浄部に対する搬送ロボットの動作を説明するための模式図である。
【図２０Ｂ】図２０Ｂは、洗浄部に対する搬送ロボットの動作を説明するための模式図である。
【図２０Ｃ】図２０Ｃは、洗浄部に対する搬送ロボットの動作を説明するための模式図である。
【図２１Ａ】図２１Ａは、第１洗浄ユニットの動作を説明するための模式図である。
【図２１Ｂ】図２１Ｂは、第１洗浄ユニットの動作を説明するための模式図である。
【図２１Ｃ】図２１Ｃは、第１洗浄ユニットの動作を説明するための模式図である。
【図２１Ｄ】図２１Ｄは、第１洗浄ユニットの動作を説明するための模式図である。
【図２１Ｅ】図２１Ｅは、第１洗浄ユニットの動作を説明するための模式図である。
【図２１Ｆ】図２１Ｆは、第１洗浄ユニットの動作を説明するための模式図である。
【図２２Ａ】図２２Ａは、第１洗浄ユニットにて異常が発生した場合の動作を説明するための模式図である。
【図２２Ｂ】図２２Ｂは、第１洗浄ユニットにて異常が発生した場合の動作を説明するための模式図である。
【図２２Ｃ】図２２Ｃは、第１洗浄ユニットにて異常が発生した場合の動作を説明するための模式図である。
【図２２Ｄ】図２２Ｄは、第１洗浄ユニットにて異常が発生した場合の動作を説明するための模式図である。
【図２２Ｅ】図２２Ｅは、第１洗浄ユニットにて異常が発生した場合の動作を説明するための模式図である。
【図２３】図２３は、図１に示す基板処理装置の漏液検知部の一例を示す模式図である。
【図２４】図２４は、従来の漏液検知部を示す模式図である。
【図２５】図２５は、図１に示す基板処理装置の漏液検知部の変形例を示す模式図である。
【図２６】図２６は、図１に示す基板処理装置の漏液検知部の変形例を示す模式図である。
【図２７】図２７は、予備洗浄モジュールを有する洗浄部を示す側面図である。
【図２８Ａ】図２８Ａは、図２７の洗浄部の洗浄モジュールへのウェハ搬送動作を説明するための模式図である。
【図２８Ｂ】図２８Ｂは、図２７の洗浄部の洗浄モジュールへのウェハ搬送動作を説明するための模式図である。
【図２８Ｃ】図２８Ｃは、図２７の洗浄部の洗浄モジュールへのウェハ搬送動作を説明するための模式図である。
【図２８Ｄ】図２８Ｄは、図２７の洗浄部の洗浄モジュールへのウェハ搬送動作を説明するための模式図である。
【図２８Ｅ】図２８Ｅは、図２７の洗浄部の洗浄モジュールへのウェハ搬送動作を説明するための模式図である。
【図２９Ａ】図２９Ａは、各洗浄モジュールにて複数のウェハを並行して洗浄する場合の洗浄部搬送機構の動作の一例を説明するための模式図である。
【図２９Ｂ】図２９Ｂは、各洗浄モジュールにて複数のウェハを並行して洗浄する場合の洗浄部搬送機構の動作の一例を説明するための模式図である。
【図２９Ｃ】図２９Ｃは、各洗浄モジュールにて複数のウェハを並行して洗浄する場合の洗浄部搬送機構の動作の一例を説明するための模式図である。
【図２９Ｄ】図２９Ｄは、各洗浄モジュールにて複数のウェハを並行して洗浄する場合の洗浄部搬送機構の動作の一例を説明するための模式図である。
【図２９Ｅ】図２９Ｅは、各洗浄モジュールにて複数のウェハを並行して洗浄する場合の洗浄部搬送機構の動作の一例を説明するための模式図である。
【図２９Ｆ】図２９Ｆは、各洗浄モジュールにて複数のウェハを並行して洗浄する場合の洗浄部搬送機構の動作の一例を説明するための模式図である。
【図２９Ｇ】図２９Ｇは、各洗浄モジュールにて複数のウェハを並行して洗浄する場合の洗浄部搬送機構の動作の一例を説明するための模式図である。
【図２９Ｈ】図２９Ｈは、各洗浄モジュールにて複数のウェハを並行して洗浄する場合の洗浄部搬送機構の動作の一例を説明するための模式図である。
【図２９Ｉ】図２９Ｉは、各洗浄モジュールにて複数のウェハを並行して洗浄する場合の洗浄部搬送機構の動作の一例を説明するための模式図である。
【図３０Ａ】図３０Ａは、各洗浄モジュールにて複数のウェハを並行して洗浄する場合の洗浄部搬送機構の動作の変形例を説明するための模式図である。
【図３０Ｂ】図３０Ｂは、各洗浄モジュールにて複数のウェハを並行して洗浄する場合の洗浄部搬送機構の動作の変形例を説明するための模式図である。
【図３０Ｃ】図３０Ｃは、各洗浄モジュールにて複数のウェハを並行して洗浄する場合の洗浄部搬送機構の動作の変形例を説明するための模式図である。
【図３０Ｄ】図３０Ｄは、各洗浄モジュールにて複数のウェハを並行して洗浄する場合の洗浄部搬送機構の動作の変形例を説明するための模式図である。
【図３０Ｅ】図３０Ｅは、各洗浄モジュールにて複数のウェハを並行して洗浄する場合の洗浄部搬送機構の動作の変形例を説明するための模式図である。
【図３０Ｆ】図３０Ｆは、各洗浄モジュールにて複数のウェハを並行して洗浄する場合の洗浄部搬送機構の動作の変形例を説明するための模式図である。
【図３０Ｇ】図３０Ｇは、各洗浄モジュールにて複数のウェハを並行して洗浄する場合の洗浄部搬送機構の動作の変形例を説明するための模式図である。
【図３０Ｈ】図３０Ｈは、各洗浄モジュールにて複数のウェハを並行して洗浄する場合の洗浄部搬送機構の動作の変形例を説明するための模式図である。
【図３０Ｉ】図３０Ｉは、各洗浄モジュールにて複数のウェハを並行して洗浄する場合の洗浄部搬送機構の動作の変形例を説明するための模式図である。
【図３１】図３１は、パラレル処理におけるデットロックの発生を説明するための模式図である。
【図３２】図３２は、第２比較例に係る研磨部の構成を説明するための図である。
【図３３】図３３は、第１比較例に係る研磨部の構成を説明するための図である。
【図３４】図３４は、本実施の形態に係る研磨部の構成を説明するための図である。
【図３５】図３５は、本実施の形態に係る研磨部の構成を説明するための図である。
【図３６】図３６は、本実施の形態に係る研磨部の構成を説明するための図である。
【図３７】図３７は、本実施の形態に係る終点検知センサ取付穴の配置を説明するための図である。
【図３８】図３８は、本実施の形態の一変形に係る終点検知センサ取付穴の配置を説明するための図である。
【発明を実施するための形態】
【００２６】
以下、本発明の実施形態について、図面を参照しながら説明する。なお、以下の説明および以下の説明で用いる図面では、同一に構成され得る部分について、同一の符号を用いるとともに、重複する説明を省略する。
【００２７】
図１は本発明の一実施形態による基板処理装置の全体構成を示す平面図であり、図２は図１に示す研磨装置を洗浄部側から見た側面図である。図１及び図２に示すように、本実施形態における基板処理装置１０は、平面視略矩形状のハウジングを備えており、ハウジングの内部は隔壁によってロード／アンロード部１１と研磨部１２と洗浄部１３と搬送部１４とに区画されている。これらのロード／アンロード部１１、研磨部１２、洗浄部１３、および搬送部１４は、それぞれ独立に組み立てられ、独立に排気されるものである。また、基板処理装置１０には、ロード／アンロード部１１、研磨部１２、洗浄部１３、および搬送部１４の動作を制御する制御部１５（制御盤ともいう）が設けられている。
【００２８】
＜ロード／アンロード部＞
ロード／アンロード部１１は、多数のウェハ（基板）Ｗをストックするウェハカセットを載置する複数（図示された例では４つ）のフロントロード部１１３を備えている。これらのフロントロード部１１３は、基板処理装置１０の幅方向（長手方向と垂直な方向）に隣接して配列されている。フロントロード部１１３には、オープンカセット、ＳＭＩＦ（Ｓｔａｎｄａｒｄ  Ｍａｎｕｆａｃｔｕｒｉｎｇ  Ｉｎｔｅｒｆａｃｅ）ポッド、またはＦＯＵＰ（Ｆｒｏｎｔ  Ｏｐｅｎｉｎｇ  Ｕｎｉｆｉｅｄ  Ｐｏｄ）を搭載することができる。ここで、ＳＭＩＦ、ＦＯＵＰは、内部にウェハカセットを収納し、隔壁で覆うことにより、外部空間とは独立した環境を保つことができる密閉容器である。
【００２９】
また、ロード／アンロード部１１には、フロントロード部１１３の配列方向に沿って走行機構１１２が敷設されており、この走行機構１１２上にフロントロード部１１３の配列方向に沿って移動可能な搬送ロボット１１１が設置されている。搬送ロボット１１１は走行機構１１２上を移動することによってフロントロード部１１３に搭載されたウェハカセットにアクセスできるようになっている。この搬送ロボット１１１は上下に２つのハンドを備えており、例えば、ウェハカセットにウェハＷを戻すときに上側のハンドを使用し、研磨前のウェハＷを搬送するときに下側のハンドを使用して、上下のハンドを使い分けることができるようになっている。
なお、これに変えて単一のハンドのみでウェハＷを搬送するようにしてもよい。
【００３０】
ロード／アンロード部１１は最もクリーンな状態を保つ必要がある領域であるため、ロード／アンロード部１１の内部は、装置外部、研磨部１２、洗浄部１３、および搬送部１４のいずれよりも高い圧力に常時維持されている。また、搬送ロボット１１１の走行機構１１２の上方には、ＨＥＰＡフィルタやＵＬＰＡフィルタなどのクリーンエアフィルタを有するフィルタファンユニット（図示せず）が設けられており、このフィルタファンユニットによりパーティクルや有毒蒸気、ガスが除去されたクリーンエアが常時下方に向かって吹き出している。
【００３１】
＜搬送部＞
搬送部１４は、研磨前のウェハをロード／アンロード部１１から研磨部１２へと搬送する領域であり、基板処理装置１０の長手方向に沿って延びるように設けられている。図１に示すように、搬送部１４は、最もクリーンな領域であるロード／アンロード部１１と最もダーティな領域である研磨部１２の両方に隣接して配置されている。そのため、研磨部１２内のパーティクルが搬送部１４を通ってロード／アンロード部１１内に拡散しないように、後述するように、搬送部１４の内部にはロード／アンロード部１１側から研磨部１２側へと流れる気流が形成されている。
【００３２】
搬送部１４の構造について詳しく説明する。図３は、搬送部１４の内部構成を示す分解斜視図である。図３に示すように、搬送部１４は、長手方向に延びるカバー４１と、カバー４１の内側に配置され、ウェハＷを保持するスライドステージ４２と、スライドステージ４２を長手方向に沿って直線移動させるステージ移動機構４３と、カバー４１の内側を排気する排気ダクト４４と、を有している。
【００３３】
カバー４１は、底面板と、４つの側面板と、天面板（図３では不図示）とを有している。このうち長手方向の一方の側面板には、ロード／アンロード部１１に連通する搬入口４１ａが形成されている。また、幅方向の一方の側面板のうち搬入口４１ａとは反対側の端部には、研磨部１２に連通する搬出口４１ｂが形成されている。搬入口４１ａおよび搬出口４１ｂは不図示のシャッタにより開閉可能となっている。ロード／アンロード部１１の搬送ロボット１１１は、搬入口４１ａからカバー４１の内側のスライドステージ４２にアクセス可能となっており、研磨部１２の搬送ロボット２３は、搬出口４１ｂからカバー４１の内側のスライドステージ４２にアクセス可能となっている。
【００３４】
ステージ移動機構４３としては、例えばボールねじを用いたモータ駆動機構またはエアシリンダが用いられる。ステージ移動機構４３としてロッドレスシリンダを用いる場合には、摺動部からの発塵を防止できるため好ましい。スライドステージ４２は、ステージ移動機構４３の可動部分に固定されており、ステージ移動機構４３から与えられる動力によりカバー４１の内側を長手方向に沿って直線移動される。
【００３５】
スライドステージ４２の外周部には、４本のピンが上向きに突き出すように設けられている。ロード／アンロード部１１の搬送ロボット１１１によりスライドステージ４２上に載せられるウェハＷは、その外周縁が４本のピンによりガイドされて位置決めされた状態で、スライドステージ４２上に支持されるようになっている。これらのピンは、ポリプロピレン（ＰＰ）、ポリクロロトリフルオロエチレン（ＰＣＴＦＥ）やポリエーテルエーテルケトン（ＰＥＥＫ）などの樹脂から形成されている。
【００３６】
排気ダクト４４は、カバー４１の長手方向の他方の側面板（搬入口４１ａとは反対側の側面板）に設けられている。搬入口４１ａが開けられた状態で排気ダクト４４により排気が行われることで、カバー４１の内側には搬入口４１ａ側から搬出口４１ｂ側へと流れる気流が形成される。これにより、研磨部１２内のパーティクルが搬送部１４を通ってロード／アンロード部１１内に拡散することが防止される。
【００３７】
＜研磨部＞
図１に示すように、研磨部１２は、ウェハＷの研磨が行われる領域であり、第１研磨装置２１ａと第２研磨装置２１ｂとを有する第１研磨ユニット２０ａと、第３研磨装置２１ｃと第４研磨装置２１ｄとを有する第２研磨ユニット２０ｂと、搬送部１４と第１研磨ユニット２０ａおよび第２研磨ユニット２０ｂのそれぞれに隣接するように配置された研磨部搬送機構２２と、を有している。研磨部搬送機構２２は、基板処理装置１０の幅方向において洗浄部１３と第１研磨ユニット２０ａおよび第２研磨ユニット２０ｂとの間に配置されている。
【００３８】
第１研磨装置２１ａ、第２研磨装置２１ｂ、第３研磨装置２１ｃ、および第４研磨装置２１ｄは、基板処理装置１０の長手方向に沿って配列されている。第２研磨装置２１ｂ、第３研磨装置２１ｃ、および第４研磨装置２１ｄは、第１研磨装置２１ａと同様の構成を有しているので、以下、第１研磨装置２１ａについて説明する。
【００３９】
図４Ａは、第１研磨装置２１ａの全体構成を模式的に示す斜視図である。図４Ｂは、第１研磨装置２１ａの全体構成を模式的に示す平面図である。なお、図４Ｂでは、後述するアトマイザ３０４Ａおよび研磨パッド温調スライダ５１の図示が省略されている。
【００４０】
図４Ａおよび図４Ｂに示すように、第１研磨装置２１ａは、研磨面を有する研磨パッド３０５Ａが取り付けられた研磨テーブル３００Ａと、研磨対象物である半導体ウエハを保持して研磨テーブル３００Ａ上の研磨パッド３０５Ａに押圧するトップリング３０１Ａと、研磨中の研磨パッド３０５Ａに対して処理を行う補助ユニット３０９Ａと、を有している。
【００４１】
このうち補助ユニット３０９Ａは、研磨パッド３０５Ａに研磨液またはドレッシング液を供給するための研磨液供給ノズル３０２Ａと、研磨パッド３０５Ａの研磨面のドレッシングを行うためのドレッサ３０３Ａと、液体と気体の混合気体または液体を霧状にして研磨面に噴射するアトマイザ３０４Ａと、研磨パッド３０５Ａの表面温度を調整する研磨パッド温調スライダ３０６Ａのうちのいずれか１つまたは２つ以上である。
ここで、ノズル、ドレッサ、アトマイザ、スライダが研磨テーブル３００Ａの周囲にそれぞれひとつのみの場合を説明したが、それぞれ複数あっても良い。あるいはそのシャフトが複数に分岐していても良い。
さらに、研磨パッドへの純水供給ノズル（不図示）等、必要に応じて付加される機器類があれば、それらも含む。
【００４２】
研磨テーブル３００Ａは、テーブル軸を介してその下方に配置される研磨テーブル回転モータ（図示せず）に連結されており、テーブル軸の回りに回転可能になっている。研磨テーブル３００Ａの上面には研磨パッド３０５Ａが貼付されており、研磨パッド３０５Ａの表面が半導体ウエハを研磨する研磨面を構成している。研磨パッド３０５Ａには、不織布や発泡ウレタン等の市販品を利用してよい。
【００４３】
研磨液供給ノズル３０２Ａは、研磨テーブル３００Ａの上方に設置されており、この研磨液供給ノズル３０２Ａによって研磨テーブル３００Ａ上の研磨パッド３０５Ａに研磨液（スラリー）が供給されるようになっている。
【００４４】
トップリング３０１Ａは、シャフト３１１に接続されており、シャフト３１１は、支持アーム３１２に対して上下動するようになっている。シャフト３１１の上下動により、支持アーム３１２に対してトップリング３０１Ａの全体を上下動させ位置決めするようになっている。シャフト３１１は、トップリング回転モータ（図示せず）の駆動により回転するようになっている。シャフト３１１の回転により、トップリング３０１Ａがシャフト３１１の回りに回転するようになっている。基本的には、トップリング３０１Ａの回転方向は、研磨テーブル３００Ａの回転方向と同じ方向である。
【００４５】
トップリング３０１Ａは、その下面に半導体ウエハを保持できるようになっている。支持アーム３１２はシャフト３１３を中心として旋回可能に構成されており、トップリング３０１Ａをウエハ受け渡し位置ＴＰ１（図１参照）に旋回させて、ウエハ受け渡し位置ＴＰ１に搬送された半導体ウエハを真空吸着する。そして、下面に半導体ウエハを保持したトップリング３０１Ａは、支持アーム３１２の旋回によりウエハ受け渡し位置ＴＰ１から研磨テーブル３００Ａの上方に移動可能になっている。
【００４６】
トップリング３０１Ａの下面に保持された半導体ウエハの中心が、トップリング３０１Ａの揺動中心と研磨テーブル３００Ａの回転中心とを結ぶ直線Ｌａ（図４Ｂ参照）上に位置決めされた状態で、トップリング３０１Ａは、下面に保持された半導体ウエハを研磨パッド３０５Ａの表面に押圧する。このとき、研磨テーブル３００Ａおよびトップリング３０１Ａをそれぞれ回転させ、研磨テーブル３００Ａの上方に設けられた研磨液供給ノズル３０２Ａから研磨パッド３０５Ａ上に研磨液（スラリー）を供給する。研磨液には砥粒としてシリカ（ＳｉＯ２）やセリア（ＣｅＯ２）を含んだ研磨液が用いられる。第１研磨ユニット２０ａによる研磨ステップは以下のように行われる。研磨液を研磨パッド３０５Ａ上に供給しつつ、トップリング３０１Ａにより半導体ウエハを研磨パッド３０５Ａに押圧して半導体ウエハと研磨パッド３０５Ａとを相対移動させて半導体ウエハ上の絶縁膜や金属膜等を研磨する。
【００４７】
図４Ａに示すように、ドレッシング装置３０３Ａは、ドレッサアーム３１８と、ドレッサアーム３１８の先端に回転自在に取り付けられたドレッサ３１７とを備えている。ドレッサ３１７の下部はドレッシング部材３１７ａにより構成され、ドレッシング部材３１７ａは円形のドレッシング面を有しており、ドレッシング面には硬質な粒子が電着等により固定されている。この硬質な粒子としては、ダイヤモンド粒子やセラミック粒子などが挙げられる。ドレッサアーム３１８内には、図示しないモータが内蔵されており、このモータによってドレッサ３１７が回転するようになっている。ドレッサアーム３１８はシャフト３１９により支持されている。
【００４８】
研磨パッド３０５Ａの表面（研磨面）のドレッシングステップは以下のように行われる。研磨テーブル３００Ａを回転させるとともに、モータによりドレッサ３１７を回転させ、次いで昇降機構によりドレッサ３１７を下降させ、ドレッサ３１７の下面のドレッシング部材３１７ａを回転する研磨パッド３０５Ａの研磨面に摺接させる。その状態で、ドレッサアーム３１８を揺動（スイング）させることにより、その先端に位置するドレッサ３１７は、研磨パッド３０５Ａの研磨面の外周端から中心部まで横切るように移動することができる。この揺動動作により、ドレッシング部材３１７ａは研磨パッド３０５Ａの研磨面をその中心を含む全体に亘ってドレッシングすることができる。
【００４９】
図４Ａに示すように、アトマイザ３０４Ａは、液体（例えば純水）と気体（例えば窒素）の混合流体または液体（例えば純水）を霧状にして１または複数のノズルから研磨パッド３０５Ａに噴射するユニットである。アトマイザ３０４Ａは、研磨パッド３０５Ａの上方に配置され、研磨パッド３０５Ａの表面（研磨面）と平行に研磨パッド３０５Ａの略半径方向に延びるように配置されている。
【００５０】
図４Ａに示すアトマイザ３０４Ａによる研磨パッド３０５Ａの洗浄工程（研磨パッドクリーニング）は以下のように行われる。研磨テーブル３００Ａを回転させながら、１または複数のノズルから液体と気体の混合流体または液体を研磨パッド３０５Ａに噴射することにより、研磨パッド上の異物（凝集した砥粒や研磨屑など）を取り除く。
【００５１】
図４Ａに示すように、研磨パッド温調スライダ３０６Ａは、研磨パッド３０５Ａの表面に接触するパッド接触部材５１と、パッド接触部材５１に温度調整された液体を供給する液体供給システム５２と、を有している。パッド接触部材５１の内部には、液体供給システム５２から供給される液体が通る液体流路が形成されている。
【００５２】
パッド接触部材５１は、移動機構５１ａに連結されている。移動機構５１ａは、パッド接触部材５１を移動させるものであり、パッド接触部材５１をスライドさせるスライド機構と、パッド接触部材５１を昇降させる昇降機構等を有する。パッド接触部材５１は、移動機構５１ａによって、研磨パッド２２上をスライドする。パッド接触部材５１内部を通る液体の熱量を、パッド接触部材５１の表面を介して研磨パッド３０５Ａに伝えることにより、研磨パッド３０５Ａの表面温度を調整する。
【００５３】
図４Ｂに示すように、研磨テーブル３００Ａの周囲には、補助ユニット３０９Ａを、トップリング３０１Ａの揺動中心（すなわち揺動軸３１３の中心）と研磨テーブル３００Ａの回転中心とを結ぶ直線Ｌａに対して左右切替可能に取り付けるための一対の補助ユニット取付部５０１ａ、５０１ｂおよび５０２ａ、５０２ｂが、当該直線Ｌａに対して左右対称の位置（すなわち直線Ｌａを対称の軸として鏡像対称の位置）に設けられている。
【００５４】
図示された例では、研磨液供給ノズル３０２Ａを直線Ｌａに対して左右対称に取り付けるための一対の研磨液供給ノズル取付部５０１ａ、５０１ｂが、直線Ｌａに対して左右対称の位置に設けられている。また、ドレッシング装置３０３ａを直線Ｌａに対して左右対称に取り付けるための一対のドレッシング装置取付部５０２ａ、５０２ｂが、直線Ｌａに対して左右対称の位置に設けられている。
【００５５】
図４Ｂに示すように、上方から見て研磨テーブル３００Ａが時計回りＣＷに回転する場合には、研磨液供給ノズル３０２Ａはトップリング３０１Ａに保持されたウエハよりも回転方向上流側に研磨液を供給する必要があるから、研磨液供給ノズル３０２Ａは、第１研磨液供給ノズル取付部５０１ａに取り付けられる。また、ドレッシング装置３０３ａはトップリング３０１Ａに保持されたウエハよりも回転方向下流側でドレッシングを行う必要があるから、ドレッシング装置３０３ａは、第１ドレッシング装置取付部５０２ａに取り付けられる。
【００５６】
他方、図４Ｃに示すように、上方から見て研磨テーブル３００Ａが反時計回りＣＣＷに回転する場合には、研磨液供給ノズル３０２Ａはトップリング３０１Ａに保持されたウエハよりも回転方向上流側に研磨液を供給する必要があるから、研磨液供給ノズル３０２Ａは、第２研磨液供給ノズル取付部５０１ｂに取り付けられる。また、ドレッシング装置３０３Ａはトップリング３０１Ａに保持されたウエハよりも回転方向下流側でドレッシングを行う必要があるから、ドレッシング装置３０３ａは、第２ドレッシング装置取付部５０２ｂに取り付けられる。
【００５７】
同様に、アトマイザ３０４Ａを直線Ｌａに対して左右対称に取り付けるための一対のアトマイザ取付部（不図示）が、直線Ｌａに対して左右対称の位置に設けられていてもよい。また、研磨パッド温調スライダ３０６Ａを直線Ｌａに対して左右対称に取り付けるための一対の研磨パッド温調スライダ取付部（不図示）が、直線Ｌａに対して左右対称の位置に設けられていてもよい。このうち補助ユニット３０９Ａは、研磨パッド３０５Ａに研磨液またはドレッシング液を供給するための研磨液供給ノズル３０２Ａと、研磨パッド３０５Ａの研磨面のドレッシングを行うためのドレッサ３０３Ａと、液体と気体の混合気体または液体を霧状にして研磨面に噴射するアトマイザ３０４Ａと、研磨パッド３０５Ａの表面温度を調整する研磨パッド温調スライダ３０６Ａのうちのいずれか１つまたは２つ以上である。さらに、研磨パッドへの純水供給ノズル（不図示）等、必要に応じて付加される機器類があれば、それらも直線Ｌａに対して左右対称の位置に設けられていてもよい。
【００５８】
一変形として、一対の補助ユニット取付部５０１ａ、５０１ｂは、異なる種類の補助ユニット３０９Ａ（たとえば研磨液供給ノズル３０２Ａとアトマイザ３０４Ａ）を左右切り替えて（位置を左右で交換して）取り付けるために使用されてもよい。具体的には、たとえば、図４Ｂに示すように、上方から見て研磨テーブル３００Ａが時計回りＣＷに回転する場合には、研磨液供給ノズル３０２Ａが、第１補助ユニット取付部５０１ａに取り付けられ、アトマイザ３０４Ａが、第２補助ユニット取付部５０１ｂに取り付けられてもよく、図４Ｃに示すように、上方から見て研磨テーブル３００Ａが反時計回りＣＣＷに回転する場合には、研磨液供給ノズル３０２Ａが、第２補助ユニット取付部５０１ｂに取り付けられ、アトマイザ３０４Ａが、第１補助ユニット取付部５０１ａに取り付けられてもよい。この場合、補助ユニット取付部５０１ａ、５０１ｂの数を減らすことができ、機構を簡略化できる。
【００５９】
図示された例では、補助ユニット取付部５０１ａ、５０１ｂおよび５０２ａ、５０２ｂは、補助ユニット５０９Ａの揺動軸または支柱を通すための、架台（不図示）に開けられた穴であるが、これに限定されるものではなく、たとえば、補助ユニット３０９Ａの揺動軸または支柱を取り付けるための、架台に設けられた台座、冶具、溝、突起、壁などであってもよい。なお、図４Ｂを参照し、見栄えとメンテナンス性改善のため、一方の補助ユニット取付部（図示された例では符号５０１ａ、５０２ａの補助ユニット取付部）に補助ユニット５０９Ａの揺動軸または支柱が係合されている場合には、他方の補助ユニット取付部（図示された例では符号５０１ｂ、５０２ｂの補助ユニット取付部）は、着脱可能なカバー（不図示）で覆われて目隠しされていてもよい。
【００６０】
研磨テーブル３００Ａの周囲には、補助ユニット３０９Ａを洗浄するユニット洗浄機構（不図示）が、直線Ｌａに対して左右対称の位置に設けられていてもよい。これにより、研磨テーブル３００Ａの回転方向に応じて、補助ユニット３０９Ａの配置を左右対称に切り替えた場合であっても、同じ条件で補助ユニット３０９Ａを洗浄することが可能である。
【００６１】
また、研磨テーブル３００Ａの周囲には、補助ユニット３０９Ａのメンテナンス時に利用されるメンテナンススペースが、直線Ｌａに対して左右対称に設けられていてもよいし、補助ユニット３０９Ａの冶具を取り付けるための冶具取付スペースが、直線Ｌａに対して左右対称に設けられていてもよい。また、研磨テーブル３００Ａの周囲には、補助ユニット３０９Ａに接続する配管または配線（不図示）が、直線Ｌａに対して左右対称の位置に設けられていてもよい。
【００６２】
図３７に示すように、研磨テーブル３００Ａのうち、研磨テーブル３００Ａの回転中心から第１距離ｒ１だけ離れた位置には、第１終点検知センサ（不図示）を取り付けるための第１終点検知センサ取付穴１ａ、１ｂが形成されており、研磨テーブル３００Ａの回転中心から第１距離ｒ１とは異なる第２距離ｒ２だけ離れた位置には、第２終点検知センサ（不図示）を取り付けるための第２終点検知センサ取付穴２ａ、２ｂが形成されていてもよい。第１終点検知センサおよび第２終点検知センサは、光学式の終点検知センサであってもよいし、渦電流式の終点検知センサであってもよい。
【００６３】
一例として、図３７に示すように、第１終点検知センサ取付穴１ａ、１ｂが、研磨テーブル３００Ａ上に定められた回転中心を通る１つの直線Ｌｂ（以下、研磨テーブル上基準線という）に対して左右対称の位置に１つずつ形成されており、第２終点検知センサ取付穴２ａ、２ｂが、当該研磨テーブル上基準線Ｌｂに対して左右対称の位置に１つずつ形成されていてもよい。これにより、第１終点検知センサ（不図示）の取り付け位置は、研磨テーブル上基準線Ｌｂに対して左右対称に切替可能となり、第２終点検知センサ（不図示）の取り付け位置も、当該研磨テーブル上基準線Ｌｂに対して左右対称に切替可能となる。
【００６４】
たとえば、図３７を参照し、研磨テーブル３００Ａが反時計回りＣＣＷに回転する場合には、一方の第１終点検知センサ取付穴１ａに第１終点検知センサ（不図示）が取り付けられ、一方の第２終点検知センサ取付穴２ａに第２終点検知センサ（不図示）が取り付けられる。これにより、研磨テーブル３００Ａが反時計回りＣＣＷに回転する際に、第２終点検知センサ取付穴２ａに取り付けられた第２終点検知センサは、第１終点検知センサ取付穴１ａに取り付けられた第１終点検知センサに対して角度θだけ遅れたタイミングで、トップリング３０１Ａに保持されたウエハと対向する位置を通過することになる。
【００６５】
他方、図３７を参照し、研磨テーブル３００Ａが時計回りＣＷに回転する場合には、他方の第１終点検知センサ取付穴１ｂに第１終点検知センサ（不図示）が取り付けられ、他方の第２終点検知センサ取付穴２ｂに第２終点検知センサ（不図示）が取り付けられる。これにより、研磨テーブル３００Ａが時計回りＣＷに回転する際に、第２終点検知センサ取付穴２ｂに取り付けられた第２終点検知センサは、第１終点検知センサ取付穴１ｂに取り付けられた第１終点検知センサに対して角度θだけ遅れたタイミングで、トップリング３０１Ａに保持されたウエハと対向する位置を通過することになる。
【００６６】
すなわち、研磨テーブル３００Ａの回転方向に応じて、第１終点検知センサおよび第２終点検知センサの取り付け位置を、研磨テーブル上基準線Ｌｂに対して左右対称に切り替えることで、研磨テーブル３００Ａが時計回りＣＷに回転する場合に、第１終点検知センサおよび第２終点検知センサを、反時計回りＣＣＷに回転する場合と同じ順序およびタイミングにて、トップリング３０１Ａに保持されたウエハと対向する位置を通過させることが可能となる。これにより、研磨テーブル３００Ａが時計回りＣＷに回転する場合と反時計回りＣＣＷに回転する場合との間で、終点検知精度にバラツキが生じることを抑制できる。
【００６７】
一変形例として、図３８に示すように、第２終点検知センサ取付穴２が、研磨テーブル上基準線Ｌｂ上に１つだけ形成されていてもよい。この単一の第２終点検知センサ取付穴２には、第２終点検知センサ（不図示）が着脱不能に取り付けられていてもよい。
【００６８】
たとえば、図３８を参照し、研磨テーブル３００Ａが反時計回りＣＣＷに回転する場合には、一方の第１終点検知センサ取付穴１ａに第１終点検知センサ（不図示）が取り付けられる。これにより、研磨テーブル３００Ａが反時計回りＣＣＷに回転する際に、第１終点検知センサ取付穴１ａに取り付けられた第１終点検知センサは、第２終点検知センサ取付穴２に取り付けられた第２終点検知センサに対して角度θだけ遅れたタイミングで、トップリング３０１Ａに保持されたウエハと対向する位置を通過することになる。
【００６９】
他方、図３８を参照し、研磨テーブル３００Ａが時計回りＣＷに回転する場合には、他方の第１終点検知センサ取付穴１ｂに第１終点検知センサ（不図示）が取り付けられる。これにより、研磨テーブル３００Ａが時計回りＣＷに回転する際に、第１終点検知センサ取付穴１ｂに取り付けられた第１終点検知センサは、第２終点検知センサ取付穴２に取り付けられた第２終点検知センサに対して角度θだけ遅れたタイミングで、トップリング３０１Ａに保持されたウエハと対向する位置を通過することになる。
【００７０】
すなわち、研磨テーブル３００Ａの回転方向に応じて、第１終点検知センサの取り付け位置を、研磨テーブル上基準線Ｌｂに対して左右対称に切り替えることで、研磨テーブル３００Ａが時計回りＣＷに回転する場合に、第１終点検知センサおよび第２終点検知センサを、反時計回りＣＣＷに回転する場合と同じ順序およびタイミングにて、トップリング３０１Ａに保持されたウエハと対向する位置を通過させることが可能となる。これにより、研磨テーブル３００Ａが時計回りＣＷに回転する場合と反時計回りＣＣＷに回転する場合との間で、終点検知精度にバラツキが生じることを抑制できる。また、図３７に示す態様に比べて、第２終点検知センサ取付穴の数を減らすことができるため、コスト削減およびプロセスへのリスク低減になる。
【００７１】
図３４に示すように、本実施の形態に係る研磨部１２では、第１研磨装置２１ａ、第２研磨装置２１ｂ、第３研磨装置２１ｃおよび第４研磨装置２１ｄが、基板処理装置１０の長手方向に沿って、この順に一列に並んで配置されている。
【００７２】
そして、図３４に示すように、第１研磨装置２１ａのトップリングの揺動中心と第２研磨装置２１ｂのトップリングの揺動中心との間の距離Ｄａ１は、第１研磨装置２１ａの研磨テーブルの回転中心と第２研磨装置２１ｂの研磨テーブルの回転中心との間の距離Ｄａ２より短くなっている。同様に、第３研磨装置２１ｃのトップリングの揺動中心と第４研磨装置２１ｄのトップリングの揺動中心との間の距離Ｄｂ１は、第３研磨装置２１ｃの研磨テーブルの回転中心と第４研磨装置２１ｄの研磨テーブルの回転中心との間の距離Ｄｂ２より短くなっている。
【００７３】
ここで第１比較例として、図３３に示すように、第１研磨装置２１ａのトップリングの揺動中心と第２研磨装置２１ｂのトップリングの揺動中心との間の距離Ｄａ１が、第１研磨装置２１ａの研磨テーブルの回転中心と第２研磨装置２１ｂの研磨テーブルの回転中心との間の距離Ｄａ２と等しく、第３研磨装置２１ｃのトップリングの揺動中心と第４研磨装置２１ｄのトップリングの揺動中心との間の距離Ｄｂ１が、第３研磨装置２１ｃの研磨テーブルの回転中心と第４研磨装置２１ｄの研磨テーブルの回転中心との間の距離Ｄｂ２と等しい配置を考える。この場合、搬送ロボット２３の動作範囲２３Ａと、搬送ロボット２３の近傍に位置する研磨装置（図示された例では第２研磨装置２１ｂ）のトップリングの揺動範囲２１ｂＡとは、この図においては一部重なることになり、搬送ロボット２３の配置スペースを装置中央に十分確保することができず、場合によっては装置が大型化するという問題がある。
【００７４】
これに対し、本実施の形態によれば、図３４に示すように、第２研磨装置２１ｂのトップリングの揺動範囲と第３研磨装置２１ｄのトップリングの揺動範囲との間の距離が広がるため、装置中央に搬送ロボット２３の配置スペースを確保して、装置の小型化を実現することが可能となっている。
【００７５】
また、第２比較例として、図３２に示すように、第１研磨装置２１ａと第２研磨装置２１ｂのレイアウトがミラーリング（互いに左右対称に配置）され、第３研磨装置２１ｃと第４研磨装置２１ｄのレイアウトがミラーリングされているが、第１〜第４研磨装置２１ａ〜２１ｄの研磨テーブルの周囲に、上述した一対の補助ユニット取付部５０１ａ、５０１ｂおよび５０２ａ、５０２ｂが設けられていない構成を考える。この場合、第２研磨装置２１ｂのトップリングの揺動範囲２１ｂＡと第３研磨装置２１ｃのトップリングの揺動範囲２１ｃＡとの間の間隔が広がるため、装置中央に搬送ロボット２３の配置スペースを確保して、装置の小型化を実現することが可能となる。しかしながら、図３２に示すように、ミラーリング配置により、各研磨装置２１ａ〜２１ｄの研磨テーブルの回転方向を、隣り合う研磨装置２１ａ〜２１ｄ間で逆向きにする必要がある。図示された例では、第１研磨装置２１ａおよび第３研磨装置２１ｃの研磨テーブルの回転方向が時計回りＣＷとなっており、第２研磨装置２１ｂおよび第４研磨装置２１ｄの研磨テーブルの回転方向が反時計回りＣＣＷとなっている。このように、各研磨装置２１ａ〜２１ｄの研磨テーブルの回転方向が異なっていると、プロセスに影響する場合がある。
【００７６】
これに対し、本実施の形態によれば、図３４、図４Ｂ、図４Ｃに示すように、各研磨装置２１ａ〜２１ｄにおいて、一対の補助ユニット取付部５０１ａ、５０１ｂおよび５０２ａ、５０２ｂが、トップリング３０１Ａの揺動中心と研磨テーブル３００Ａの回転中心とを結ぶ直線Ｌａに対して左右対称の位置に設けられているため、研磨中の研磨パッド３０５Ａに対して処理を行う補助ユニット３０９Ａの配置を、研磨テーブル３００Ａの回転方向に応じて、前記直線Ｌａに対して左右対称に切り替えることが可能である。
【００７７】
具体的には、たとえば、図４Ｂに示すように、上方から見て研磨テーブル３００Ａが時計回りＣＷに回転する場合には、研磨液供給ノズル３０２Ａはトップリング３０１Ａに保持されたウエハよりも回転方向上流側に研磨液を供給する必要があるから、研磨液供給ノズル３０２Ａは、第１研磨液供給ノズル取付部５０１ａに取り付けられ、ドレッシング装置３０３ａはトップリング３０１Ａに保持されたウエハよりも回転方向下流側でドレッシングを行う必要があるから、ドレッシング装置３０３ａは、第１ドレッシング装置取付部５０２ａに取り付けられる。他方、図４Ｃに示すように、上方から見て研磨テーブル３００Ａが反時計回りＣＣＷに回転する場合には、研磨液供給ノズル３０２Ａはトップリング３０１Ａに保持されたウエハよりも回転方向上流側に研磨液を供給する必要があるから、研磨液供給ノズル３０２Ａは、第２研磨液供給ノズル取付部５０１ｂに取り付けられ、ドレッシング装置３０３Ａはトップリング３０１Ａに保持されたウエハよりも回転方向下流側でドレッシングを行う必要があるから、ドレッシング装置３０３ａは、第２ドレッシング装置取付部５０２ｂに取り付けられる。
【００７８】
これにより、プロセスに影響する、研磨テーブル３００Ａの回転方向とトップリング３０１Ａに保持されたウエハと補助ユニット３０９Ａとの相対位置関係を一定に維持したまま、研磨装置２１ａ〜２１ｄごとに研磨テーブルの回転方向を適宜変更することができる。
【００７９】
一例として、図３５に示すように、第１研磨装置２１ａおよび第４研磨装置２１ｄの研磨テーブルの回転方向を同一方向（図示された例では時計方向ＣＷ）に揃え、第２研磨装置２１ｂおよび第３研磨装置２１ｃの研磨テーブルの回転方向を同一方向（図示された例では反時計方向ＣＣＷ）に揃えてもよい。この場合、搬送部１４から搬送されてくるウエハが、装置中央の搬送ロボット２３により第１研磨ユニット２０ａと第２研磨ユニット２０ｂに振り分けられ、各研磨ユニットの２台の研磨装置にて順番に（連続して）ウエハの研磨が行われてから、装置中央の搬送ロボット２３を介して洗浄部１３へと搬送される基板処理ステップにおいて、第１研磨ユニット２０ａに振り分けられたウエハについては第１研磨装置２１ａ、第２研磨装置２１ｂの順番で研磨を行い、第２研磨ユニット２０ｂに振り分けられたウエハについては第４研磨装置２１ｄ、第３研磨装置２１ｃの順番で研磨を行うことにより、第１研磨ユニット２０ａに振りけられたウエハと第２研磨ユニット２０ｂに振り分けられたウエハとを、互いに同じ条件にて研磨することができる。また、第１研磨ユニット２０ａで研磨されたウエハは、装置中央側の第２研磨装置２１ｂから搬送ロボット２３により洗浄部１３へと搬送され、第２研磨ユニット２０ｂで研磨されたウエハは、装置中央側の第３研磨装置２１ｃから搬送ロボット２３により洗浄部１３へと搬送されるため、各研磨ユニット２０ａ、２０ｂでの研磨が終了してから、搬送ロボット２３により洗浄部１３へと搬入されるまでの時間を揃えることができる。研磨液は短時間で乾燥して固まってしまう傾向があるため、各研磨ユニット２０ａ、２０ｂでの研磨が終了してから、搬送ロボット２３により洗浄部１３へと搬入されるまでの時間を揃えることにより、洗浄部１３での洗浄効率にバラツキが生じることを抑制できる。
【００８０】
図３５に示す例において、装置中央の搬送ロボット２３により第１研磨ユニット２０ａと第２研磨ユニット２０ｂに振り分けられたウェハが、各研磨ユニットの２台の研磨装置にて順番に（連続して）研磨される際に、第１研磨ユニット２０ａに振り分けられたウエハについては第２研磨装置２１ｂ、第１研磨装置２１ａの順番で研磨を行い、第２研磨ユニット２０ｂに振り分けられたウエハについては第３研磨装置２１ｃ、第４研磨装置２１ｄの順番で研磨を行ってもよい。この場合も、第１研磨ユニット２０ａに振りけられたウエハと第２研磨ユニット２０ｂに振り分けられたウエハとを、互いに同じ条件にて研磨することができる。また、各研磨ユニット２０ａ、２０ｂでの研磨が終了してから、搬送ロボット２３により洗浄部１３へと搬入されるまでの時間を揃えることができため、洗浄部１３での洗浄効率にバラツキが生じることを抑制できる。
【００８１】
別の一例として、図３６に示すように、第１〜第４研磨装置２１ａ〜２１ｄの研磨テーブルの回転方向をすべて同一方向（図示された例では時計方向ＣＷ）に揃えてもよい。この場合も、搬送部１４から搬送されてくるウエハが、装置中央の搬送ロボット２３により第１研磨ユニット２０ａと第２研磨ユニット２０ｂに振り分けられ、各研磨ユニットの２台の研磨装置にて順番に（連続して）ウエハの研磨が行われてから、装置中央の搬送ロボット２３を介して洗浄部１３へと搬送される基板処理ステップにおいて、第１研磨ユニット２０ａに振り分けられたウエハについては第１研磨装置２１ａ、第２研磨装置２１ｂの順番で研磨を行い、第２研磨ユニット２０ｂに振り分けられたウエハについては第４研磨装置２１ｄ、第３研磨装置２１ｃの順番で研磨を行うことにより、第１研磨ユニット２０ａに振りけられたウエハと第２研磨ユニット２０ｂに振り分けられたウエハとを、互いに同じ条件にて研磨することができる。また、第１研磨ユニット２０ａで研磨されたウエハは、装置中央側の第２研磨装置２１ｂから搬送ロボット２３により洗浄部１３へと搬送され、第２研磨ユニット２０ｂで研磨されたウエハは、装置中央側の第３研磨装置２１ｃから搬送ロボット２３により洗浄部１３へと搬送されるため、各研磨ユニット２０ａ、２０ｂでの研磨が終了してから、搬送ロボット２３により洗浄部１３へと搬入されるまでの時間を揃えることができる。研磨液は短時間で乾燥して固まってしまう傾向があるため、各研磨ユニット２０ａ、２０ｂでの研磨が終了してから、搬送ロボット２３により洗浄部１３へと搬入されるまでの時間を揃えることにより、洗浄部１３での洗浄効率にバラツキが生じることを抑制できる。
【００８２】
図３６に示す例において、装置中央の搬送ロボット２３により第１研磨ユニット２０ａと第２研磨ユニット２０ｂに振り分けられたウェハが、各研磨ユニットの２台の研磨装置にて順番に（連続して）研磨される際に、第１研磨ユニット２０ａに振り分けられたウエハについては第２研磨装置２１ｂ、第１研磨装置２１ａの順番で研磨を行い、第２研磨ユニット２０ｂに振り分けられたウエハについては第３研磨装置２１ｃ、第４研磨装置２１ｄの順番で研磨を行ってもよい。この場合も、第１研磨ユニット２０ａに振りけられたウエハと第２研磨ユニット２０ｂに振り分けられたウエハとを、互いに同じ条件にて研磨することができる。また、各研磨ユニット２０ａ、２０ｂでの研磨が終了してから、搬送ロボット２３により洗浄部１３へと搬入されるまでの時間を揃えることができため、洗浄部１３での洗浄効率にバラツキが生じることを抑制できる。
【００８３】
また、図３６に示す例において、装置中央の搬送ロボット２３により第１研磨ユニット２０ａと第２研磨ユニット２０ｂに振り分けられたウェハが、各研磨ユニットの２台の研磨装置にて順番に（連続して）研磨される際に、（Ａ）第１研磨ユニット２０ａに振り分けられたウエハについては第１研磨装置２１ａ、第２研磨装置２１ｂの順番で研磨を行い、第２研磨ユニット２０ｂに振り分けられたウエハについては第３研磨装置２１ｃ、第４研磨装置２１ｄの順番で研磨を行ってもよいし、（Ｂ）第１研磨ユニット２０ａに振り分けられたウエハについては第２研磨装置２１ｂ、第１研磨装置２１ａの順番で研磨を行い、第２研磨ユニット２０ｂに振り分けられたウエハについては第４研磨装置２１ｄ、第３研磨装置２１ｃの順番で研磨を行ってもよい。（Ａ）または（Ｂ）の場合も、第１研磨ユニット２０ａに振りけられたウエハと第２研磨ユニット２０ｂに振り分けられたウエハとを、互いに同じ条件にて研磨することができる。
【００８４】
研磨時にはスラリを使用することを考えるとわかるように、研磨部１２は最もダーティな（汚れた）領域である。したがって、本実施形態では、研磨部１２内のパーティクルが外部に飛散しないように、第１研磨装置２１ａ、第２研磨装置２１ｂ、第３研磨装置２１ｃ、および第４研磨装置２１ｄの各研磨テーブルの周囲から排気が行われており、研磨部１２の内部の圧力を、装置外部、周囲の洗浄部１３、ロード／アンロード部１１、および搬送部１４よりも負圧にすることでパーティクルの飛散を防止している。また、通常、研磨テーブルの下方には排気ダクト（図示せず）が、上方にはフィルタ（図示せず）がそれぞれ設けられ、これらの排気ダクトおよびフィルタを介して清浄化された空気が噴出され、ダウンフローが形成される。
【００８５】
図１に示すように、第１研磨装置２１ａのトップリング２５ａは、トップリングヘッドのスイング動作により研磨位置と第１基板搬送位置ＴＰ１との間を移動し、第１研磨装置２１ａへのウェハの受け渡しは第１基板搬送位置ＴＰ１にて行われる。同様に、第２研磨装置２１ｂのトップリング２５ｂは、トップリングヘッドのスイング動作により研磨位置と第２基板搬送位置ＴＰ２との間を移動し、第２研磨装置２１ｂへのウェハの受け渡しは第２基板搬送位置ＴＰ２にて行われ、第３研磨装置２１ｃのトップリング２５ｃは、トップリングヘッドのスイング動作により研磨位置と第３基板搬送位置ＴＰ３との間を移動し、第３研磨装置２１ｃへのウェハの受け渡しは第３基板搬送位置ＴＰ３にて行われ、第４研磨装置２１ｄのトップリング２５ｄは、トップリングヘッドのスイング動作により研磨位置と第４基板搬送位置ＴＰ４との間を移動し、第４研磨装置２１ｄへのウェハの受け渡しは第４基板搬送位置ＴＰ４にて行われる。
【００８６】
研磨部搬送機構２２は、第１研磨ユニット２０ａにウェハＷを搬送する第１搬送ユニット２４ａと、第２研磨ユニット２０ｂにウェハＷを搬送する第２搬送ユニット２４ｂと、第１搬送ユニット２４ａと第２搬送ユニット２４ｂとの間に配置され、搬送部１４と第１搬送ユニット２４ａおよび第２搬送ユニット２４ｂとの間のウェハの受け渡しを行う搬送ロボット２３とを有している。図示された例では、搬送ロボット２３は、基板処理装置１０のハウジングの略中央に配置されている。
【００８７】
図５は、搬送ロボット２３を示す側面図である。図５に示すように、搬送ロボット２３は、ウェハＷを保持するハンド２３１と、ハンド２３１を上下反転させる反転機構２３４と、ハンドＷを支持する伸縮可能なアーム２３２と、アーム２３２を上下移動させるアーム上下移動機構およびアーム２３２を鉛直な軸線周りに回動させるアーム回動機構を含むロボット本体２３３と、を有している。ロボット本体２３３は、研磨部１４の天井のフレームに対して吊り下がるように取り付けられている。
【００８８】
本実施形態では、ハンド２３１は、図３に示す搬送部１４の搬出口４１ｂからスライドステージ４２に対してアクセス可能となっている。また、ハンド２３１は、研磨部１２の第１搬送ユニット２４ａおよび第２搬送ユニット２４ｂに対してもアクセス可能となっている。したがって、搬送部１４から研磨部１２に連続的に搬送されてくるウェハＷは、搬送ロボット２３により第１搬送ユニット２４ａおよび第２搬送ユニット２４ｂに振り分けられる。
【００８９】
第２搬送ユニット２４ｂは、第１搬送ユニット２４ａと同様の構成を有しているので、以下、第１搬送ユニット２４ａについて説明する。図６は、第１搬送ユニット２４ａを示す斜視図である。
【００９０】
図６に示すように、第１搬送ユニット２４ａは、第１研磨装置２１ａに対する第１基板搬送位置ＴＰ１に配置され、上下移動する第１プッシャ５１ａと、第２研磨装置２１ｂに対する第２基板搬送位置ＴＰ２に配置され、上下移動する第２プッシャ５１ｂと、第１基板搬送位置ＴＰ１と第２基板搬送位置ＴＰ２との間を互いに独立に水平移動する第１ステージ５２ａ、第２ステージ５２ｂおよび第３ステージ５２ｃを有するエクスチェンジャ５０と、を有している。
【００９１】
このうち第１プッシャ５１ａは、第１〜第３ステージ５２ａ〜５２ｃのいずれかに保持されたウェハＷを第１研磨装置２１ａのトップリング２５ａに受け渡すとともに、第１研磨装置２１ａにおける研磨後のウェハＷを第１〜第３ステージ５２ａ〜５２ｃのいずれかに受け渡すものである。また、第２プッシャ５１ｂは、第１〜第３ステージ５２ａ〜５２ｃのいずれかに保持されたウェハＷを第２研磨装置２１ｂのトップリング２５ｂに受け渡すとともに、第２研磨装置２１ｂにおける研磨後のウェハＷを第１〜第３ステージ５２ａ〜５２ｃのいずれかに受け渡すものである。このように、第１プッシャ５１ａおよび第２プッシャ５１ｂは、エクスチェンジャ５０と各トップリングとの間でウェハＷを受け渡す受け渡し機構として機能する。第２プッシャ５１ｂは、第１プッシャ５１ａと同様の構造を有しているため、以下の説明では第１プッシャ５１ａについてのみ説明する。
【００９２】
図７は、第１プッシャ５１ａを示す縦断面図である。図７に示すように、第１プッシャ５１ａは、第１研磨装置２１ａのトップリングを保持するためのガイドステージ３３１と、ウェハＷを保持するプッシュステージ３３３とを備えている。ガイドステージ３３１の最外周には、トップリングガイド３３７が４個設置されている。トップリングガイド３３７の上段部３３８はトップリングの（ウェハＷの外周を囲む不図示の）ガイドリングの下面とのアクセス部である。上段部３３８にはトップリングを導入するためのテーパ（２５°〜３５°ぐらいが好ましい）が形成されている。ウェハロード・アンロード時は直接トップリングガイド３３７でウェハエッジを受ける。
【００９３】
ガイドステージ３３１の裏面には防水機能を持ったガイドスリーブ３４０が設置されている。ガイドスリーブ３４０の内側にはプッシャの防水のためのセンタスリーブ３４１が設置されている。
【００９４】
トップリングガイド３３７に位置合わせ機構を持たせるため、水平なＸ軸およびＹ軸方向に移動してガイドステージ３３１のセンタリングを行うリニアウェイ３４６を配置している。ガイドステージ３３１はリニアウェイ３４６に固定されている。このリニアウェイ３４６は加圧することにより中心位置に復帰可能な構造となっている。この構造によりガイドステージ３３１のセンタリングが実現される。あるいは、リニアウェイ３４６内部のスプリングだけで、加圧することなく中心位置に復帰可能となっている。
【００９５】
また、リニアウェイ３４６はシャフト３３０に固定されており、このシャフト３３０は、電動アクチュエータ３４７に連結されている。電動アクチュエータ３４７の駆動により、シャフト３３０を介してガイドステージ３３１が上下動するようになっている。これにより、後述で説明するエクスチェンジャのステージ５２ａ〜５２ｃからウェハＷを受け取る際に予備動作としてガイドステージ３３１を各ステージ毎のクリアランスを最適に保つ高さに待機させることができるので受け取り動作に要する時間を短縮できる。
【００９６】
プッシュステージ３３３はガイドステージ３３１の上方に配置されており、プッシュステージ３３３の中心にはガイドステージ３３１に対してプッシュステージ３３３を上下動させるシリンダ３４９が設けられている。プッシュステージ３３３はシリンダ３４９によって上下移動し、トップリングへウェハＷをロードする。本実施の形態では、プッシュステージ３３３がシリンダ３４９により駆動されることで、プッシュステージ３３３を所望の高さ位置に位置決めすることができる。プッシュステージ３３３の端には位置決めのための圧縮ばね３５１が配置されている。
【００９７】
なお、プッシャに付着したスラリなどからウェハへの逆汚染を防止するため、汚れを洗浄するための洗浄ノズルが別途設置される。プッシャ上のウェハ有無を確認するためのウェハ有無センサが別途設置される場合もある。
【００９８】
図６に示すように、エクスチェンジャ５２ａは、上下多段に配置された第１ステージ５２ａ、第２ステージ５２ｂおよび第３ステージ５２ｃを有している。図示された例では、第１ステージ５２ａが下段に配置され、第２ステージ５２ｂが中段に配置され、第３ステージ５２ｃが上段に配置されている。第１ステージ５２ａ、第２ステージ５２ｂおよび第３ステージ５２ｃは、平面視において第１基板搬送位置ＴＰ１と第２基板搬送位置ＴＰ２とを通過する同一の軸線上を移動するが、設置される高さが異なっているため、互いに干渉することなく自由に移動可能となっている。
【００９９】
図６に示すように、第１ステージ５２ａには、第１ステージ５２ａを一軸方向に直線移動させる第１ステージ駆動機構５４ａが設けられており、第２ステージ５２ｂには、第２ステージ５２ｂを前記一軸方向に直線移動させる第２ステージ駆動機構５４ｂが設けられており、第３ステージ５２ｃには、第３ステージ５２ｃを前記一軸方向に直線移動させる第３ステージ駆動機構５４ｃが設けられている。第１〜第３ステージ駆動機構５４ａ〜５４ｃとしては、例えば電動アクチュエータまたはボールねじを用いたモータ駆動機構が用いられる。第１〜第３ステージ５２ａ〜５２ｃは、それぞれ異なる第１〜第３ステージ駆動機構５４ａ〜５４ｃから動力を受けることで、それぞれ異なるタイミングで異なる方向に移動可能となっている。
【０１００】
第２ステージ５２ｂおよび第３ステージ５２ｃは、第１ステージ５２ａと同様の構成を有しているので、以下、第１ステージ５２ａについて説明する。
【０１０１】
図６に示すように、第１ステージ５２ａは、第１ステージ駆動機構５４ａによる直線移動方向の一方側（図６における右奥側）が開口した平面視「コ」字形状を有している。そのため、第１ステージ５２ａが第１基板搬送位置ＴＰ１に配置された時、第１プッシャ５１ａは、第１ステージ５２ａの内側を通過するように上下移動可能となっている。また、第１ステージ５２ａは、第１ステージ５２ａの内側を第１プッシャ５１ａが通過した状態であっても直線移動方向の他方側（図６における左手前側）に移動可能となっている。
【０１０２】
図示は省略するが、第１ステージ５２ａには、４本のピンが上方に突き出すように設けられている。そのため、第１ステージ５２ａ上に載せられるウェハは、その外周縁が４本のピンによりガイドされて位置決めされた状態で、第１ステージ５２ａ上に支持されるようになっている。これらのピンは、ポリプロピレン（ＰＰ）、ポリクロロトリフルオロエチレン（ＰＣＴＦＥ）やポリエーテルエーテルケトン（ＰＥＥＫ）などの樹脂から形成されている。
【０１０３】
次に、上述のように構成された第１プッシャ５１ａおよびエクスチェンジャ５０の動作の一例を説明する。
【０１０４】
まず、ウェハロード時には、第１プッシャ５１ａの上方にエクスチェンジャ５０の第１ステージ５２ａによってウェハＷが搬送される。第１研磨装置２１ａのトップリング２５ａが第１プッシャ５１ａの上方のウェハロード位置（第１基板搬送位置ＴＰ１）にあってウェハＷを保持していないとき、電動アクチュエータ３４７よりガイドステージ３３１周りの構成品一式が上昇していく。上昇途中でガイドステージ３３１は第１ステージ５２ａの内側を通過する。このとき、ガイドステージ３３１は通過と同時にウェハＷをトップリングガイド３３７のテーパにて求芯し、プッシュステージ３３３によりウェハＷの（エッジ以外の）パターン面を保持する。
【０１０５】
プッシュステージ３３３がウェハＷを保持したままトップリングガイド３３７は停止することなく上昇していき、トップリングガイド３３７のテーパ（不図示）によってガイドリングを呼び込む。Ｘ，Ｙ方向に自在に移動可能なリニアウェイ３４６による位置合わせでトップリングに求芯し、トップリングガイド３３７の上段部３３８がガイドリング下面と接触することでガイドステージ３３１の上昇は終了する。
【０１０６】
ガイドステージ３３１は、トップリングガイド３３７の上段部３３８がガイドリング下面に接触して固定されることで、それ以上上昇することはない。このとき、プッシュステージ３３３はシリンダ３４９によりさらに上昇される。このとき、プッシュステージ３３３はウェハＷの（エッジ以外の）パターン面を保持し、トップリングまでウェハＷを搬送する。トップリングがウェハＷの吸着を完了すると、第１プッシャ５１ａは下降を開始し、下降終了で動作が完了する。
【０１０７】
なお、本実施の形態では、第１ステージ５２ａが直線移動方向の一方側（図６における右奥側）が開口した平面視「コ」字形状を有しているため、第１プッシャ５１ａが下降を開始する前であっても、直線移動方向の他方側（図６における左手前側）に移動可能である。したがって、第１ステージ５２ａを移動させる際に第１プッシャ５１ａが下降するのを待つ必要がなくなり、プロセスのスループットが向上する。
【０１０８】
次に、ウェハアンロード時には、第１プッシャ５１ａ上方のウェハアンロード位置にトップリングによってウェハＷが搬送される。エクスチェンジャ５０の第１ステージ５２ａが第１プッシャ５１ａの上方にあってウェハを搭載していないとき、電動アクチュエータ３４７によりガイドステージ３３１周りの構成品一式が上昇し、トップリングガイド３３７のテーパ（不図示）によってガイドリングを呼び込む。ガイドステージ３３１はリニアウェイ３４６による位置合わせにてトップリングに求芯し、トップリングガイド３３７の上段部３３８がガイドリングの下面と接触することでガイドステージ３３１の上昇は終了する。
【０１０９】
次いで、トップリングよりウェハＷがリリースされる。このとき、トップリングガイド３３７の下段テーパによってウェハＷは求芯され、トップリングガイド３３７にエッジ部が保持される。ウェハＷが第１プッシャ５１ａに保持されると、第１プッシャ５１ａは下降を開始する。下降の際、トップリング求芯のためセンタ位置を移動していたガイドステージ３３１はガイドスリーブ３４０とセンタスリーブ３４１によりセンタリングされる。下降の途中で第１プッシャ５１ａより第１ステージ５２ａにウェハＷのエッジ部で受け渡され、下降終了で動作が完了する。
【０１１０】
＜洗浄部＞
図１及び図２に示すように、洗浄部１３は、研磨後のウェハを洗浄する領域であり、上下二段に配置された第１洗浄ユニット３０ａおよび第２洗浄ユニット３０ｂを有している。上述した搬送部１４は、第１洗浄ユニット３０ａと第２洗浄ユニット３０ｂとの間に配置されている。第１洗浄ユニット３０ａと搬送部１４と第２洗浄ユニット３０ｂとが上下方向に重なるように配列されているため、フットプリントが小さいという利点が得られる。
【０１１１】
図１および図２に示すように、第１洗浄ユニット３０ａは、複数（図示された例では４つ）の洗浄モジュール３１１ａ、３１２ａ、３１３ａ、３１４ａと、ウェハステーション３３ａと、各洗浄モジュール３１１ａ〜３１４ａとウェハステーション３３ａとの間にてウェハＷを搬送する洗浄部搬送機構３２ａとを有している。複数の洗浄モジュール３１１ａ〜３１４ａとウェハステーション３３ａとは、基板処理装置１０の長手方向に沿って直列に配置されている。各洗浄モジュール３１１ａ〜３１４ａの上部には、クリーンエアフィルタを有するフィルタファンユニット（図示せず）が設けられており、このフィルタファンユニットによりパーティクルが除去されたクリーンエアが常時下方に向かって吹き出している。また、第１洗浄ユニット３０ａの内部は、研磨部１２からのパーティクルの流入を防止するために研磨部１２よりも高い圧力に常時維持されている。
【０１１２】
同様に、第２洗浄ユニット３０ｂは、複数（図示された例では４つ）の洗浄モジュール３１１ｂ、３１２ｂ、３１３ｂ、３１４ｂと、ウェハステーション３３ｂと、各洗浄モジュール３１１ｂ〜３１４ｂとウェハステーション３３ｂとの間にてウェハＷを搬送する洗浄部搬送機構３２ｂとを有している。複数の洗浄モジュール３１１ｂ〜３１４ｂとウェハステーション３３ｂとは、基板処理装置１０の長手方向に沿って直列に配置されている。各洗浄モジュール３１１ｂ〜３１４ｂの上部には、クリーンエアフィルタを有するフィルタファンユニット（図示せず）が設けられており、このフィルタファンユニットによりパーティクルが除去されたクリーンエアが常時下方に向かって吹き出している。また、第２洗浄ユニット３０ｂの内部は、研磨部１２からのパーティクルの流入を防止するために研磨部１２よりも高い圧力に常時維持されている。
【０１１３】
なお、後述するが（図２７、図２８Ａ〜図２８Ｅとその関連説明）、予備洗浄モジュール３９ａと３９ｂをそれぞれ各洗浄モジュール３１１ａ〜３１４ａと３１１ｂ〜３１４ｂに加えて増設してもよい。
【０１１４】
図８は、第１洗浄ユニット３０ａのウェハステーション３３ａを示す斜視図である。図９は、このウェハステーション３３ａの内部構成を示す分解斜視図である。図８および図９に示すように、ウェハステーション３３ａは、略直方体形状を有する筐体７１と、筐体７１の内部に配置され、ウェハＷを保持するステージ７２と、ステージ７２を上下移動させる駆動機構７５と、を有している。
【０１１５】
このうち筐体７１は、底面板と、４つの側面板と、天面板とを有している。図９に示すように、４つの側面板のうち研磨部１２に対向する側面板の下端部には、研磨部１２に連通する搬入口７３が形成されている。搬入口７３は、不図示のシャッタにより開閉可能となっている。図９に示すように、研磨部１２の搬送ロボット２３は、搬入口７３から筐体７１の内側にアクセスすることができる。
【０１１６】
また、図８に示すように、４つの側面板のうち残りの３つの側面板（すなわち、後述する第１洗浄部搬送機構３２ａに対向する側面板および左右の側面板）の搬入口７３より高い高さ位置には、洗浄部搬送機構３２ａのアームを通過させるためのアーム通過用開口７４が形成されている。ウェハ搬送用開口７４は、不図示のシャッタにより開閉可能となっている。図１２および図１３に示すように、第１洗浄ユニット３０ａの洗浄部搬送機構３２ａは、アーム通過用開口７４から筐体７１の内側にアクセス可能となっている。
【０１１７】
駆動機構７５としては、例えばボールねじを用いたモータ駆動機構またはエアシリンダが用いられる。ステージ７２は、駆動機構７５の可動部に固定されており、駆動機構７５から与えられる動力により、搬入口７３に対向する高さ位置とウェハ搬送用開口７４に対向する高さ位置との間を上下移動される（図９参照）。
【０１１８】
ステージ７２の外周部には、４本のピン７６が上方に突き出すように設けられている。そのため、ステージ７２上に載せられるウェハＷは、その外周縁が４本のピン７６によりガイドされて位置決めされた状態で、ステージ７２上に支持されるようになっている。これらのピン７６は、ポリプロピレン（ＰＰ）、ポリクロロトリフルオロエチレン（ＰＣＴＦＥ）やポリエーテルエーテルケトン（ＰＥＥＫ）などの樹脂から形成されている。
【０１１９】
図１０は、第２洗浄ユニット３０ｂのウェハステーション３３ｂを示す斜視図である。図１１は、このウェハステーション３３ｂの内部構成を示す分解斜視図である。図１０および図１１に示すように、ウェハステーション３３ｂは、略直方体形状を有する筐体８１と、筐体８１の内部に配置され、ウェハＷを保持するステージ８２と、ステージ８２を上下移動させる駆動機構８５と、を有している。
【０１２０】
このうち筐体８１は、底面板と、４つの側面板と、天面板とを有している。図１１に示すように、４つの側面板のうち研磨部１２に対向する側面板の上端部には、研磨部１２に連通する搬入口８３が形成されている。搬入口８３は、不図示のシャッタにより開閉可能となっている。図１１に示すように、研磨部１２の搬送ロボット２３は、搬入口８３から筐体８１の内側にアクセスすることができる。
【０１２１】
また、図１０に示すように、４つの側面板のうち残りの３つの側面板（すなわち、研磨部１２とは反対側の側面板および左右の側面板）の搬入口８３より低い高さ位置には、洗浄部搬送機構３２ｂのアームを通過させるためのアーム通過用開口８４が形成されている。アーム通過用開口８４は、シャッタ８７により開閉可能となっている。図１１に示すように、第２洗浄ユニット３０ｂの洗浄部搬送機構３２ｂは、アーム通過用開口８４から筐体８１の内側にアクセス可能となっている。
【０１２２】
駆動機構８５としては、例えばボールねじを用いたモータ駆動機構またはエアシリンダが用いられる。ステージ８２は、駆動機構８５の可動部に固定されており、駆動機構８５から与えられる動力により、搬入口８３に対向する高さ位置とウェハ搬送用開口８４に対向する高さ位置との間を上下移動される（図１１参照）。
【０１２３】
ステージ８２の外周部には、４本のピン８６が上方に突き出すように設けられている。そのため、ステージ８２上に載せられるウェハは、その外周縁が４本のピン８６によりガイドされて位置決めされた状態で、ステージ８２上に支持されるようになっている。これらのピン８６は、ポリプロピレン（ＰＰ）、ポリクロロトリフルオロエチレン（ＰＣＴＦＥ）やポリエーテルエーテルケトン（ＰＥＥＫ）などの樹脂から形成されている。
【０１２４】
第２洗浄ユニット３０ｂの洗浄モジュール３１１ｂ〜３１４ｂは、第１洗浄ユニット３０ａの洗浄モジュール３１１ａ〜３１４ａと同様の構成を有しているので、以下、第１洗浄ユニット３０ａの洗浄モジュール３１１ａ〜３１４ａについて説明する。
【０１２５】
図１及び図２に示すように、４つの洗浄モジュール３１１ａ〜３１４ａ（以下、１次〜４次洗浄モジュールと呼ぶことがある）は、ウェハステーション３３ａからこの順に直列に配置されている。各洗浄モジュール３１１ａ〜３１４ａは、それぞれ、不図示の洗浄機と、図１３に示すこの洗浄機をカバーする筐体９１とを有している。
【０１２６】
１次洗浄モジュール３１１ａおよび２次洗浄モジュール３１２ａの洗浄機としては、例えば、上下に配置されたロール状のスポンジを回転させてウェハの表面および裏面に押し付けてウェハの表面および裏面を洗浄するロールタイプの洗浄機を用いることができる。また、３次洗浄モジュール３１３ａの洗浄機としては、例えば、半球状のスポンジを回転させながらウェハに押し付けて洗浄するペンシルタイプの洗浄機を用いることができる。４次洗浄モジュール３１４ａの洗浄機としては、例えば、ウェハの裏面はリンス洗浄することができ、ウェハ表面の洗浄は半球状のスポンジを回転させながら押し付けて洗浄するペンシルタイプの洗浄機を用いることができる。この４次洗浄モジュール３１４ａの洗浄機は、チャックしたウェハを高速回転させるステージを備えており、ウェハを高速回転させることで洗浄後のウェハを乾燥させる機能（スピンドライ機能）を有している。なお、各洗浄モジュール３１１ａ〜３１４ａの洗浄機において、上述したロールタイプの洗浄機やペンシルタイプの洗浄機に加えて、洗浄液に超音波を当てて洗浄するメガソニックタイプの洗浄機を付加的に設けてもよい。
【０１２７】
各洗浄モジュール３１１ａ〜３１４ａの筐体は、ウェハステーション３３ａの筐体７１と同様に、底面板と、４つの側面板と、天面板とを有している。４つの側面板のうち洗浄部搬送機構３２ａに対向する側面板および左右の側面板には、洗浄部搬送機構３２ａのアームを通過させるためのアーム通過用開口９４が形成されている（図１３Ａ〜図１３Ｅ参照）。アーム通過用開口９４は、シャッタ９７により開閉可能となっている。このアーム通過用開口９４の高さ位置は、ウェハステーション３３ａのアーム通過用開口７４と同じ高さ位置に形成されている。洗浄部搬送機構３２ａは、このアーム通過用開口９４から筐体９１の内側にアクセス可能となっている。
【０１２８】
第２洗浄ユニット３０ｂの洗浄部搬送機構３２ｂは、第１洗浄ユニット３０ａの洗浄部搬送機構３２ａと同様の構成を有しているので、以下、第１洗浄ユニット３０ａの洗浄部搬送機構３２ａについて説明する。
【０１２９】
図１２は、第１洗浄ユニット３０ａの洗浄部搬送機構３２ａを示す斜視図である。図１２に示すように、洗浄部搬送機構３２ａは、ウェハＷをそれぞれ把持する第１ウェハ把持機構６０１および第２ウェハ把持機構６０２と、第１ウェハ把持機構６０１および第２ウェハ把持機構６０２を複数の洗浄モジュール３１１ａ〜３１４ａの配列方向に沿って直線移動するアーム搬送機構６２と、を有している。すなわち、本実施の形態では、ウェハ把持機構６０１、６０２の数は、洗浄モジュール３１１ａ〜３１４ａの数より少なくなっている。
【０１３０】
本実施の形態では、例えばウェハＷの清浄度に応じて第１ウェハ把持機構６０１と第２ウェハ把持機構６０２とを使い分けることができる。例えば、１次〜４次洗浄モジュール３１１ａ〜３１４ａのうち洗浄処理前半の１次洗浄モジュール３１１ａおよび２次洗浄モジュール３１２ａでは第１ウェハ把持機構６０１を使用し、洗浄処理後半の３次洗浄モジュール３１３ａおよび４次洗浄モジュール３１４ａでは第２ウェハ把持機構６０２を使用することで、洗浄処理後半のウェハＷが第１ウェハ把持機構６０１に接して汚染されることを防止できる。
【０１３１】
第１ウェハ把持機構６０１は、より詳しくは、ウェハを把持する開閉可能な一対の第１アーム６１１と、一対の第１アーム６１１を上下移動させる第１上下移動機構６４１と、一対の第１アーム６１１を開閉方向と平行な回転軸６３１Ａを中心として回動させる第１回動機構６３１と、一対の第１アーム６１１を互いに近接する方向または互いに離間する方向に開閉する第１開閉機構６６１とを有している。
【０１３２】
同様に、第２ウェハ把持機構６０２は、ウェハを把持する開閉可能な一対の第２アーム６１２と、一対の第２アーム６１２を上下移動させる第２上下移動機構６４２と、一対の第２アーム６１２を開閉方向と平行な回転軸６３２Ａを中心として回動させる第２回動機構６３２と、一対の第２アーム６１２を互いに近接する方向または互いに離間する方向に開閉する第２開閉機構６６２とを有している。
【０１３３】
アーム搬送機構６２としては、例えばボールねじを用いたモータ駆動機構が用いられる。図１２に示すように、アーム搬送機構６２のボールねじは、洗浄モジュール３１１ａ〜３１４ａの上方に洗浄モジュール３１１ａ〜３１４ａの配列方向に延びるように設けられている。
【０１３４】
アーム搬送機構６２のボールねじには、メインフレーム６８が取り付けられている。メインフレーム６８は、アーム搬送機構６２のボールねじから下方に吊り下がるように取り付けられており、洗浄モジュール３１１ａ〜３１４ａの側面と対向するようになっている。アーム搬送機構６２のボールねじに連結されたモータの駆動により、メインフレーム６８は洗浄モジュール３１１ａ〜３１４ａの側面と対向したまま洗浄モジュール３１１ａ〜３１４ａの配列方向に沿って直線移動される。
【０１３５】
図示された例では、メインフレーム６８は、奥行方向（洗浄モジュール３１１ａ〜３１４ａの配列方向および上下方向の両方に対して垂直な方向）の位置を調整するための奥行方向移動機構６７を有している。奥行方向移動機構６７としては、例えばラック・アンド・ピニオンを用いたモータ駆動機構が用いられる。奥行方向移動機構６７の駆動により、奥行方向におけるメインフレーム６８の位置が調整される。
【０１３６】
第１上下移動機構６４１および第２上下移動機構６４２は、メインフレーム６８上に設けられている。第１上下移動機構６４１および第２上下移動機構６４２としては、例えばボールねじを用いたモータ駆動機構が用いられる。図１６に示すように、第１上下移動機構６４１のボールねじは、メインフレーム６８の左端部において上下方向に延びるように取り付けられており、第２上下移動機構６４２のボールねじは、メインフレーム６８の右端部において上下方向に延びるように取り付けられている。
【０１３７】
第１上下移動機構６４１のボールねじには、一対の第１アーム６１１を支持する第１サブフレーム６９１が取り付けられている。第１サブフレーム６９１は、メインフレーム６８の左側にメインフレーム６８と隣り合うように設けられており、洗浄モジュール３１１ａ〜３１４ａの側面と対向するようになっている。第１上下移動機構６４１のボールねじに連結されたモータの駆動により、第１サブフレーム６９１は上下方向に沿って直線移動される。
【０１３８】
同様に、第２上下移動機構６４２のボールねじには、一対の第２アーム６１２を支持する第２サブフレーム６９２が取り付けられている。第２サブフレーム６９２は、メインフレーム６８の右側にメインフレーム６８と隣り合うように設けられており、洗浄モジュール３１１ａ〜３１４ａの側面と対向できるようになっている。第２上下移動機構６４２のボールねじに連結されたモータの駆動により、第２サブフレーム６９２は上下方向に沿って直線移動される。
【０１３９】
第１サブフレーム６９１および第２サブフレーム６９２は、メインフレーム６８に対して対称であること以外は、実質的に同様の構造を有しているため、以下では第２サブフレーム６９２について説明する。
【０１４０】
図１２に示すように、一対の第２アーム６１２は互いに平行に配置されており、第２アーム６１２の基端部は、第２サブフレーム６９２上に回転可能に設けられた回転軸６３２Ａに取り付けられている。また、第２サブフレーム６９２上には回転軸６３２Ａを中心として一対の第２アーム６１２を回転させる第２回動機構６３２が設けられている。第２回動機構６３２としては、例えばモータ駆動機構が用いられる。この第２回動機構６３２の回転軸は、リンク部材６３２Ｌを介して回転軸６３２Ａに連結されている。第２回動機構６３２の回転力は、リンク部材６３２Ｌを介して回転軸６３２Ａに伝達され、一対の第２アーム６１２は、回転軸６３２Ａを中心として回転される。
【０１４１】
また、第２サブフレーム６９２上には、一対の第２アーム６１２を互いに近接する方向または互いに離間する方向に開閉する第２開閉機構６６２が設けられている。第２開閉機構６６２としては、例えばエアシリンダが用いられる。第２開閉機構６６２により一対の第２アーム６１２が閉じられることにより、一対の第２アーム６１２はウェハＷの周縁部を挟み込んで保持するようになっている。
【０１４２】
図１４は、第２ウェハ把持機構６０２の一対の第２アーム６１２が上段のチャックコマ６１２ａ、６１２にてウェハＷを把持した状態を示す斜視図である。図１５は、第２ウェハ把持機構６０２の一対の第２アーム６１２が下段のチャックコマにてウェハＷを把持した状態を示す斜視図である。図１４および図１５に示すように、一対の第２アーム６１２には、ウェハＷの外周部に当接可能なチャックコマ６１２ａ、６１２ｂが上下二段に設けられている。例えば相対的に清浄度の高いウェハＷは上段のチャックコマ６１２ａにて保持され、相対的に清浄度の低いウェハを下段のチャックコマ６１２ｂにて保持されることで、下段のチャックコマ６１２ｂが清浄度の高いウェハＷに接触してこのウェハＷが汚染されることを防止できる。
【０１４３】
次に、図１３Ａ〜図１３Ｅを参照して、一対の第２アーム６１２の動作の一例を説明する。上述したように各洗浄モジュールは、ウェハＷの洗浄中に外部に使用流体が飛散しないように筐体９１によって区画されており、筐体９１の側面にはアーム通過用開口９４が形成されている。アーム通過用開口９４には、開閉可能なシャッタ９７が設けられている。
【０１４４】
洗浄後のウェハＷを筐体９１から取り出す場合には、図１３Ａに示すように、先端が上向きに向けられた一対の第２アーム６１２は、アーム搬送機構６２の駆動より筐体９１に隣接する待機位置へと移動される。本実施の形態では、筐体９１のシャッタ９７が閉じられていても、一対の第２アーム６１２の先端を上向きに向けておくことで、一対の第２アーム６１２を筐体９１に隣接する待機位置へと移動させることができる。したがって、ウェハ取り出し作業の開始タイミングを早くすることができ、プロセス全体のスループットが向上させることができる。
【０１４５】
次に、図１３Ｂおよび図１３Ｃに示すように、第２回動機構６３２の駆動により、一対の第２アーム６１２は、回転軸６３２Ａを中心として回動される。図示された例では、一対の第２アーム６１２は、側面視において回転軸６３２Ａを中心として時計回りに９０°回転され、一対の第２アーム６１２の先端は横向きに向けられる。
【０１４６】
次に、図１３Ｄに示すように、第２上下駆動機構６４２の駆動により、一対の第２アーム６１２は、アーム通過用開口９４と同じ高さ位置まで上昇される。このとき、シャッタ９７が退避されアーム通過用開口９４が開けられる。
【０１４７】
次に、図１３Ｅに示すように、第２開閉機構６６２の駆動により、一対の第２アーム６１２は、互いに近接する方向に閉じられ、アーム通過用開口９４を通って筐体９１内側に挿入され、筐体９１内のウェハＷを把持する。そして、図１３Ｆに示すように、ウェハＷを把持した一対の第２アーム６１２は、ステージのピン（不図示）との干渉を回避するために少し上昇したのち、アーム搬送機構６２の駆動より次の洗浄モジュールへと移動される。
【０１４８】
洗浄前のウェハＷを筐体９１に搬入する場合には、図１３Ａ〜図１３Ｆに示す上述した動作が逆の順序で行われる。すなわち、図１３Ｆに示すように、ウェハＷを把持した一対の第２アーム６１２は、アーム搬送機構６２の駆動よりアーム通過用開口９４を通って筐体９１内側に移動されたのち、図１３Ｅに示すように、ステージのピン（不図示）の高さまで下降される。
【０１４９】
次に、図１３Ｄに示すように、第２開閉機構６６２の駆動により、一対の第２アーム６１２は、互いに離間する方向に開かれ、アーム通過用開口９４を通って筐体９１の外側に出される。
【０１５０】
次に、図１３Ｃに示すように、第２上下駆動機構６４２の駆動により、一対の第２アーム６１２は、アーム通過用開口９４より低い高さ位置まで下降される。このとき、アーム通過用開口９４がシャッタ９７により、筐体９１の内側にウェハＷの洗浄処理が開始される。
【０１５１】
次に、図１３Ｂおよび図１３Ａに示すように、第２回動機構６３２の駆動により、一対の第２アーム６１２は、回転軸６３２Ａを中心として回動される。図示された例では、一対の第２アーム６１２は、側面視において回転軸６３２Ａを中心として反時計回りに９０°回転され、一対の第２アーム６１２の先端は上向きに向けられる。そして、先端が上向きに向けられた一対の第２アーム６１２は、アーム搬送機構６２の駆動より次の洗浄モジュールへと移動される。本実施の形態では、第２回動機構６３２が一対の第２アーム６１２を先端が上向きになるように回動させる際に、第２上下移動機構６４２が一対の第２アーム６１２を下降させるため、一対の第２アーム６１２の上方に必要なスペースを削減できる。
【０１５２】
各洗浄モジュール３１１ａ〜３１４ａおよび３１１ｂ〜３１４ｂでは複数のウェハＷを並行して洗浄することができる。図２９Ａ〜図２９Ｉを参照して、第１洗浄ユニット３０ａの１次〜３次洗浄モジュール３１１ａ〜３１３ａにて複数のウェハＷを並行して洗浄する場合の洗浄部搬送機構３２ａの動作を一例として説明する。
【０１５３】
まず、図２９Ａに示すように、１次洗浄モジュール３１１ａでは、シャッタ９７が閉じられて第２ウェハＷ２に対して第１段階の洗浄が行われており、２次洗浄モジュール３１２ａでは、第１ウェハＷ１に対する第２段階の洗浄が終了してアーム通過用開口９４が開いている状況を想定する。この場合、一対の第１アーム６１１は２次洗浄モジュール３１２ａに対する待機位置へと移動され、一対の第１アーム６１１の先端は横向きに向けられる。
【０１５４】
そして、図２９Ｂに示すように、一対の第１アーム６１１が互いに近接するように閉じられ、２次洗浄モジュール３１２ａ内の第１ウェハＷ１は、一対の第１アーム６１１により保持される。また、３次洗浄モジュール３１３ａのシャッタ９７が退避されてアーム通過用開口９４が開かれる。
【０１５５】
次に、図２９Ｃに示すように、一対の第１アーム６１１により保持された第１ウェハＷ１は、アーム通過用開口９４を通って、２次洗浄モジュール３１２ａから３次洗浄モジュール３１３ａへと移動される。
【０１５６】
そして、図２９Ｄに示すように、一対の第１アーム６１１は互いに離間するように開かれ、３次洗浄モジュール３１３ａの左右外側に出される。２次洗浄モジュール３１２ａでは乾燥を防止するためにシャッタ９７が閉じられる。
【０１５７】
次に、図２９Ｅに示すように、３次洗浄モジュール３１３ａのシャッタ９７が閉じられ、３次洗浄モジュール３１３ａにて第１ウェハＷ１に対する第３段階の洗浄が行われる。
【０１５８】
次に、図２９Ｆに示すように、１次洗浄モジュール３１１ａでの第２ウェハＷ２に対する第１段階の洗浄が終了すると、１次洗浄モジュール３１１ａのシャッタ９７が退避されてアーム通過用開口９４が開かれる。このとき、一対の第１アーム６１１は回動機構により回動され、一対の第１アーム６１１の先端が上向きに向けられる。
【０１５９】
そして、図２９Ｇに示すように、一対の第１アーム６１１は、シャッタ９７が閉じられた３次洗浄モジュール３１３ａおよび２次洗浄モジュール３１２ａを回避する（スキップする）ように移動され、１次洗浄モジュール３１１ａの待機位置へと配置される。
【０１６０】
次に、図２９Ｈに示すように、一対の第１アーム６１１は回動機構により回動され、一対の第１アーム６１１の先端が横向きに向けられる。そして、図２９Ｉに示すように、一対の第１アーム６１１が互いに近接するように閉じられ、１次洗浄モジュール３１１ａ内の第２ウェハＷ２は、一対の第１アーム６１１により保持される。その後、一対の第１アーム６１１に保持された第２ウェハＷ２は、２次洗浄モジュール３１２ａへと搬送されて第２段階の洗浄が行われる。
【０１６１】
以上のように本実施の形態では、各洗浄モジュール３１１ａ〜３１４ａおよび３１１ｂ〜３１４ｂにて複数のウェハＷを並行して洗浄することができるため、プロセス全体のスループットを向上させることができる。
【０１６２】
次に、図３０Ａ〜図３０Ｉを参照して、第１洗浄ユニット３０ａの１次〜３次洗浄モジュール３１１ａ〜３１３ａにて複数のウェハＷを並行して洗浄する場合の洗浄部搬送機構３２ａの動作の変形例について説明する。
【０１６３】
まず、図３０Ａに示すように、１次洗浄モジュール３１１ａでは、シャッタ９７が閉じられて第２ウェハＷ２に対して第１段階の洗浄が行われており、２次洗浄モジュール３１２ａでは、第１ウェハＷ１に対する第２段階の洗浄が終了してアーム通過用開口９４が開いている状況を想定する。この場合、一対の第１アーム６１１は２次洗浄モジュール３１２ａに対する待機位置へと移動され、一対の第１アーム６１１の先端は横向きに向けられる。
【０１６４】
そして、図３０Ｂに示すように、一対の第１アーム６１１が互いに近接するように閉じられ、２次洗浄モジュール３１２ａ内の第１ウェハＷ１は、一対の第１アーム６１１により保持される。また、３次洗浄モジュール３１３ａのシャッタ９７が退避されてアーム通過用開口９４が開かれる。
【０１６５】
次に、図３０Ｃに示すように、一対の第１アーム６１１により保持された第１ウェハＷ１は、アーム通過用開口９４を通って、２次洗浄モジュール３１２ａから３次洗浄モジュール３１３ａへと移動される。
【０１６６】
そして、図３０Ｄに示すように、一対の第１アーム６１１は互いに離間するように開かれ、３次洗浄モジュール３１３ａの左右外側に出される。２次洗浄モジュール３１２のシャッタ９７が閉じられる。
【０１６７】
次に、図３０Ｅに示すように、３次洗浄モジュール３１３ａでの第１ウェハＷ１に対する第３段階の洗浄が開始される前に、１次洗浄モジュール３１１ａでの第２ウェハＷ２に対する第１段階の洗浄が終了すると、１次洗浄モジュール３１１ａのシャッタ９７が退避されてアーム通過用開口９４が開かれる。
【０１６８】
このとき、図３０Ｆに示すように、一対の第１アーム６１１は第１ウェハＷ１より高い高さ位置まで上昇される。また、２次洗浄モジュール３１２ａのシャッタ９７が退避されてアーム通過用開口９４が開かれる。
【０１６９】
そして、図３０Ｇに示すように、一対の第１アーム６１１は、先端を横向きに向けたまま、３次洗浄モジュール３１３ａおよび２次洗浄モジュール３１２ａのアーム通過用開口９４を通過するように移動され、１次洗浄モジュール３１１ａの待機位置へと配置される。
【０１７０】
次に、図３０Ｈに示すように、一対の第１アーム６１１は第２ウェハＷ２と同じ高さ位置まで下降される。一方、３次洗浄モジュール３１３ａでは、シャッタ９７が閉じられて第１ウェハＷ１に対する第３段階の洗浄が開始される。２次洗浄モジュール３１２ａでは乾燥を防止するためにシャッタ９７が閉じられる。
【０１７１】
そして、図３０Ｉに示すように、一対の第１アーム６１１が互いに近接するように閉じられ、１次洗浄モジュール３１１ａ内の第２ウェハＷ２は、一対の第１アーム６１１により保持される。その後、一対の第１アーム６１１に保持された第２ウェハＷ２は、２次洗浄モジュール３１２ａへと搬送されて第２段階の洗浄が行われる。
【０１７２】
以上のような変形例によれば、３次洗浄モジュール３１３ａから１次洗浄モジュール３１１ａへと一対の第１アーム６１１を移動させる際に、一対の第１アーム６１１を回動させる動作を省略できる。そのため、プロセス全体のスループットをさらに向上させることができる。
【０１７３】
一方、図２９Ａ〜図２９Ｉに示す例のように、一対の第１アーム６１１を回動させて、シャッタ９７が閉じられた３次洗浄モジュール３１３ａおよび２次洗浄モジュール３１２ａを回避する（スキップする）ように移動させる場合には、一対の第１アーム６１１が３次洗浄モジュール３１３ａ内の第１ウェハＷ１の上方を通過することがないため、一対の第１アーム６１１から落下する洗浄液が第１ウェハＷ１の表面に付着することを防止できる。また、３次洗浄モジュール３１３ａでの第１ウェハＷ１に対する第３段階の洗浄を早く開始することができる。
【０１７４】
各洗浄モジュール３１１ａ〜３１４ａおよび３１１ｂ〜３１４ｂは、故障を検知する検知器（図示せず）を有している。洗浄モジュール３１１ａ〜３１４ａおよび３１１ｂ〜３１４ｂのいずれかに故障が生じたとき、検知器がこれを検知して図１の制御部１５に信号を送るようになっている。制御部１５は、故障した洗浄モジュールを回避する洗浄ラインを選定し、現在の洗浄ラインを新たに選定された洗浄ラインに切り替える。
【０１７５】
より詳しくは、たとえば、図２２Ａに示すように、第１洗浄ユニット３０ａの３次洗浄モジュール３１３ａに異常が発生した場合には、２次洗浄モジュール３１２ａ内に位置するウェハＷが洗浄部搬送機構３２ａの第１アーム６１１により把持される。そして、図２２Ｂに示すように、洗浄部搬送機構３２ａの第２アーム６１２が先端を上向きに向けられた状態で、アーム搬送機構６２の駆動により、第１アーム６１１に把持されたウェハが第１ウェハステーション３３ａへと搬送される。この時、３次洗浄モジュール３１３ａのシャッタ９７が故障して閉じられたままであっても、第２アーム６１２は先端を上向きに向けられているため、シャッタ９７と干渉することなく、３次洗浄モジュール３１３ａを回避して（スキップして）移動することができる。
【０１７６】
次に、図２２Ｃおよび図２２Ｄに示すように、研磨部１２の搬送ロボット２３が第１ウェハステーション３３ａからウェハＷを取り出して、第２ウェハステーション３３ｂへと受け渡す。第２ウェハステーション３３ｂへと受け渡されたウェハＷは、洗浄部搬送機構３２ｂの第１アーム６１１により把持される。そして、図２２Ｅに示すように、アーム搬送機構６２の駆動により、第１アーム６１１に把持されたウェハＷは、１次洗浄モジュール３１１ｂへと搬送されて洗浄される。
【０１７７】
このように、本実施の形態では、複数の第１洗浄モジュール３１１ａ〜３１４ａのいずれかに異常が発生した場合であっても、第１洗浄モジュール３１１ａ〜３１４ａ内に位置するウェハＷが第２洗浄モジュール３１１ｂ〜３１４ｂへと搬送されて洗浄されることで、第１洗浄モジュール３１１ａ〜３１４ａ内に位置するウェハＷを救済することができる。同様に、複数の第２洗浄モジュール３１１ｂ〜３１４ｂのいずれかに異常が発生した場合であっても、第２洗浄モジュール３１１ｂ〜３１４ｂ内に位置するウェハＷが第１洗浄モジュール３１１ａ〜３１４ａへと搬送されて洗浄されることで、第２洗浄モジュール３１１ｂ〜３１４ｂ内に位置するウェハＷを救済することができる。
【０１７８】
図１２に示すように、本実施の形態では、第１ウェハ把持機構６０１および第２ウェハ把持機構６０２が、アーム搬送機構６２の下方に懸垂状に配置されている。これにより、第１ウェハ把持機構６０１および第２ウェハ把持機構６０２のメンテナンススペースを拡大される。したがって、メンテナンスに要する時間を短縮することができる。
【０１７９】
＜予備洗浄モジュール＞
図２７に示すように、洗浄部１３の第１洗浄ユニット３０ａは、複数の洗浄モジュール３１１ａ〜３１４ａと同列に配置され、研磨前のウェハＷを洗浄する予備洗浄モジュール３９ａを更に有しており、洗浄部搬送機構３２ａは、予備洗浄モジュール３９ａと各洗浄モジュール３１１ａ〜３１４ａとの間にてウェハＷを搬送してもよい。図示された例では、予備洗浄モジュール３９ａは、第１ウェハステーション３３ａに対して洗浄モジュール３１１ａ〜３１４ａとは逆側に第１ウェハステーション３３ａに隣接して配置されている。
【０１８０】
同様に、第２洗浄ユニット３０ｂは、複数の洗浄モジュール３１１ｂ〜３１４ｂと同列に配置され、研磨前のウェハＷを洗浄する予備洗浄モジュール３９ａを更に有しており、洗浄部搬送機構３２ａは、予備洗浄モジュール３９ａと各洗浄モジュール３１１ａ〜３１４ａとの間にてウェハＷを搬送してもよい。図示されて例では、予備洗浄モジュール３９ｂは、第２ウェハステーション３３ｂに対して洗浄モジュール３１１ｂ〜３１４ｂとは逆側に第２ウェハステーション３３ｂに隣接して配置されている。
【０１８１】
予備洗浄モジュール３９ａ、３９ｂは、それぞれ、不図示の洗浄機と、この洗浄機をカバーする筐体９１とを有している。予備洗浄モジュール３９ａ、３９ｂの洗浄機としては、例えば、研磨前のウェハＷの表面から自然酸化膜を除去するウェットエッチング装置、または研磨前のウェハＷの表面からスクラッチの原因になる粗大粒子を除去するバフ研磨装置を用いることができる。
【０１８２】
第２洗浄ユニット３０ｂの予備洗浄モジュール３９ｂへのウェハ搬送動作は、第１洗浄ユニット３０ａの予備洗浄モジュール３９ａへのウェハ搬送動作と同様であるため、以下、第１洗浄ユニット３０ａの予備洗浄モジュール３９ａへのウェハ搬送動作について説明する。
【０１８３】
まず、図２８Ａに示すように、研磨前のウェハＷが、搬送部１４のスライドステージ４２により長手方向に沿って搬送され、研磨部１２の搬送ロボット２３がアクセスできる位置にて静止される。
【０１８４】
次に、図２８Ｂに示すように、研磨部１２の搬送ロボット２３により、ウェハＷが搬送部１４から取り出される。そして、図２８Ｃに示すように、搬送ロボット２３に保持されたウェハＷは、ウェハステーション３３ａへと受け渡される。
【０１８５】
次に、図２８Ｄに示すように、ウェハステーション３３ａ内に位置するウェハＷは、洗浄部搬送機構３２ａの第１アーム６１１により保持される。そして、図２８Ｅに示すように、洗浄部搬送機構３２ａの第２アーム６１２が先端を上向きに向けられた状態で、アーム搬送機構６２の駆動により、第１アーム６１１に把持されたウェハＷが第１ウェハステーション３３ａから予備洗浄モジュール３９ａへと搬送され、洗浄される。
【０１８６】
予備洗浄モジュール３９ａにて洗浄されたウェハＷは、洗浄部搬送機構３２ａの第１アーム６１１により再び保持される。そして、図２８Ｃに示すように、第１アーム６１１に把持されたウェハＷは、アーム搬送機構６２の駆動により、予備洗浄モジュール３９ａからウェハステーション３３ａへと搬送される。そして、図２８Ｂに示すように、研磨部１２の搬送ロボット２３により、ウェハＷがウェハステーション３３ａから取り出され、第１搬送ユニット２４ａまたは第２搬送ユニット２４ｂを介して第１研磨ユニット２０ａまたは第２研磨ユニット２０ｂへと搬送され、研磨される。
【０１８７】
より具体的には、予備洗浄モジュール３９ａおよび１次洗浄モジュール３１１ａがそれぞれ、ウェハＷに対してバフパッドを接触させながら、ウェハＷとバフパッドを相対運動させ、ウェハＷとバフパッドとの間にスラリを介在させることによりウェハＷの表面を研磨及び／またはスクラビングするバフ処理装置（例えば、特開２０１６−４３４７１号公報の図１等に開示されている装置）を有し、２次洗浄モジュール３１２ａが、上下に配置されたロール状のスポンジを回転させてウェハＷの表面および裏面に押し付けてウェハＷの表面および裏面を洗浄するロール型洗浄機（例えば、特開２０１０−５０４３６号公報の図３２等に開示されている装置）を有し、３次洗浄モジュール３１３ａが、半球状のスポンジを回転させながらウェハＷに押し付けて洗浄するペンシル型洗浄機（例えば、特開２０００−１７３９６６号公報の図１０等に開示されている装置）を有し、４次洗浄モジュール３１４ａが、ウェハＷを回転させながらウェハＷの表面にＩＰＡ（イソプロピルアルコール）蒸気を吹き付けて乾燥させるＩＰＡ乾燥装置（例えば、特開２０１０−５０４３６号公報の図３３〜図３９等に開示されている装置）を有している場合には、研磨前のウェハＷは、予備洗浄モジュール３９ａにてバフ処理された後、第１研磨ユニット２０ａまたは第２研磨ユニット２０ｂへと搬送されて研磨され、次いで、１次洗浄モジュール３１１ａにてバフ処理され、２次洗浄モジュール３１２ａにてロール状のスポンジにより洗浄され、３次洗浄モジュール３１３ａにてペンシル状のスポンジにより洗浄され、４次洗浄モジュール３１４ａにてＩＰＡ蒸気乾燥され、その後、ロード／アンロード部１１へと取り出される。
【０１８８】
また、予備洗浄モジュール３９ａがバフ処理装置を有し、１次洗浄モジュール３１１ａおよび２次洗浄モジュール３１２ａがそれぞれロール型洗浄機を有し、３次洗浄モジュール３１３ａがペンシル型洗浄機を有し、４次洗浄モジュール３１４ａがＩＰＡ乾燥装置を有している場合には、研磨前のウェハＷは、予備洗浄モジュール３９ａにてバフ処理された後、第１研磨ユニット２０ａまたは第２研磨ユニット２０ｂへと搬送されて研磨され、次いで、１次洗浄モジュール３１１ａおよび２次洗浄モジュール３１２ａにて連続してロール状のスポンジにより洗浄され、３次洗浄モジュール３１３ａにてペンシル状のスポンジにより洗浄され、４次洗浄モジュール３１４ａにてＩＰＡ蒸気乾燥され、その後、ロード／アンロード部１１へと取り出される。
【０１８９】
また、予備洗浄モジュール３９ａ、１次洗浄モジュール３１１ａおよび２次洗浄モジュール３１２ａがそれぞれロール型洗浄機を有し、３次洗浄モジュール３１３ａがペンシル型洗浄機を有し、４次洗浄モジュール３１４ａがＩＰＡ乾燥装置を有している場合には、研磨前のウェハＷは、予備洗浄モジュール３９ａにてロール状のスポンジにより洗浄された後、第１研磨ユニット２０ａまたは第２研磨ユニット２０ｂへと搬送されて研磨され、次いで、１次洗浄モジュール３１１ａおよび２次洗浄モジュール３１２ａにて連続してロール状のスポンジにより洗浄され、３次洗浄モジュール３１３ａにてペンシルスポンジにより洗浄され、４次洗浄モジュール３１４ａにてＩＰＡ蒸気乾燥され、その後、ロード／アンロード部１１へと取り出される。
【０１９０】
また、予備洗浄モジュール３９ａおよび１次洗浄モジュール３１１ａがそれぞれロール型洗浄機を有し、２次洗浄モジュール３１２ａがペンシル型洗浄機を有し、３次洗浄モジュール３１３ａが、ウェハＷに向けて洗浄液とガスを高速で噴出させて２流体ジェット流を生成し高速で噴霧してウェハＷを洗浄する２流体ジェット型洗浄機（例えば、特開２０１０−２３８８５０号公報の図４等に開示されている装置）を有し、４次洗浄モジュール３１４ａがＩＰＡ乾燥装置を有している場合には、研磨前のウェハＷは、予備洗浄モジュール３９ａにてロール状のスポンジにより洗浄された後、第１研磨ユニット２０ａまたは第２研磨ユニット２０ｂへと搬送されて研磨され、次いで、１次洗浄モジュール３１１ａにてロール状のスポンジにより洗浄され、２次洗浄モジュール３１２ａにてペンシル状のスポンジにより洗浄され、３次洗浄モジュール３１３ａにて２流体ジェット洗浄され、４次洗浄モジュール３１４ａにてＩＰＡ蒸気乾燥され、その後、ロード／アンロード部１１へと取り出される。
【０１９１】
なお、予備洗浄モジュール３９ａは、研磨前のウェハＷを洗浄するために使用されることに限定されず、研磨後のウェハＷを洗浄するために使用されてもよい。この場合、まず、図２８Ａに示すように、研磨前のウェハＷが、搬送部１４のスライドステージ４２により長手方向に沿って搬送され、研磨部１２の搬送ロボット２３がアクセスできる位置にて静止される。
【０１９２】
次に、図２８Ｂに示すように、研磨部１２の搬送ロボット２３により、ウェハＷが搬送部１４から取り出されたのち、第１搬送ユニット２４ａまたは第２搬送ユニット２４ｂを介して第１研磨ユニット２０ａまたは第２研磨ユニット２０ｂへと搬送され、研磨される。そして、図２８Ｃに示すように、研磨後のウェハＷが、搬送ロボット２３に保持されて、ウェハステーション３３ａへと受け渡される。
【０１９３】
次に、図２８Ｄに示すように、ウェハステーション３３ａ内に位置するウェハＷは、洗浄部搬送機構３２ａの第１アーム６１１により保持される。そして、図２８Ｅに示すように、洗浄部搬送機構３２ａの第２アーム６１２が先端を上向きに向けられた状態で、アーム搬送機構６２の駆動により、第１アーム６１１に把持されたウェハＷが第１ウェハステーション３３ａから予備洗浄モジュール３９ａへと搬送され、洗浄される。
【０１９４】
予備洗浄モジュール３９ａにて洗浄されたウェハＷは、洗浄部搬送機構３２ａの第１アーム６１１により再び保持される。そして、第１アーム６１１に把持されたウェハＷは、アーム搬送機構６２の駆動により、予備洗浄モジュール３９ａから１次洗浄モジュール３１１ａへと搬送され、洗浄される。その後、たとえば、後述する図２１Ｂ〜図２１Ｆに示すような工程により、２次〜４次洗浄モジュール３１１ｂ〜３１１ｄにてウェハＷの洗浄および乾燥が行われ、その後、ロード／アンロード部１１へと取り出される。
【０１９５】
＜漏液検知部＞
図２３は、基板処理装置１０の下部（ベースフレーム付近）に設けられた漏液検知部１を示す模式図である。図２３に示すように、漏液検知部１は、ドレンポット２と、ドレンポット２に向かって傾斜した斜面を有するドレンパン６と、ドレンポット２の底面上に設置された第１設置型漏液センサ３ａと、ドレンパン６の斜面上に設置された第２設置型漏液センサ３ｂと、を有している。
【０１９６】
第１設置型漏液センサ３ａおよび第２設置型漏液センサ３ｂとしては、例えば光電センサが用いられる。第１設置型漏液センサ３ａおよび第２設置型漏液センサ３ｂは、それぞれ、漏液を検知すると制御部１５に信号を送る。制御部１５は、第１設置型漏液センサ３ａから信号を受けると警報を発するようになっており、第２設置型漏液センサ３ｂから信号を受けると基板処理装置１０の動作を停止するようになっている。
【０１９７】
ところで、図２４に示すように、従来の漏液検知部２００では、２段検知型レベルセンサを構成するために、ドレンポット２０２の底面に設置された設置型漏液センサ２０３ａと、ドレンポット２０２内に配置されたフロート型漏液センサ２０３ｂとが用いられていた。フロート型漏液センサ２０３ｂは、その構造上、漏液を検知するために上下方向の動きを必要とする。そのため、ドレンポット２０２にはある程度の深さが必要であり、ドレンポット２０２の底面は、基板処理装置のベースフレームの下面２０５より下方に突き出ていた。この場合、基板処理装置の移動時にフォークリフトのフォークがドレンポット２０２の底面に当接して持ち上げようとすることで、ドレンポット２０２が破損してしまう可能性があった。
【０１９８】
また、図２４に示すように、従来の漏液検知部２００では、ドレンポット２０２が破損した場合に容易に交換できるように、ドレンポット２０２はドレンパン２０６とは別体に形成されていた。そのため、ドレンポット２０２とドレンパン２０６との間から漏液が生じる可能性があった。
【０１９９】
一方、図２３に示すように、本実施の形態では、２段検知型レベルセンサが２つの設置型漏液センサ３ａ、３ｂを用いて構成されている。そのため、ドレンポット２の深さを浅くすることが可能であり、ドレンポット２の底面は、基板処理装置１０のベースフレームの下面５より上方に配置され得る。これにより、基板処理装置１０の移動時にフォークリフトのフォークによりドレンポット２が破損することが防止される。
【０２００】
また、本実施の形態では、ドレンポット２の深さを浅くできることから、ドレンポット２をドレンパン６と一体に成形することが可能である。この場合、ドレンポット２とドレンパン６との間からの漏液が生じることを防止できる。
【０２０１】
図２５は、漏液検知部１の変形例を示す模式図である。この変形例では、ドレンポット２の底面の中央部分が１段高くなっており、第２設置型漏液センサ３ｂは、この１段高くなった部分に設定されている。このような態様によれば、図２３に示す態様と同様の作用効果が得られることに加えて、ドレンポット２の底面がリング形状となるため、ドレンポット２の深さを浅くしながら容積を大きくできる。
【０２０２】
また、図２６に示す変形例のように、ドレンポット２の底面が中央部分に向かって２段階で徐々に高くなっており、底面より１段高くなった部分に第２設置型漏液センサ３ｂが設置され、それより更に１段高くなった部分に第３設置型漏液センサ３ｃが設置されていてもよい。このような態様によれば、３段階のレベルで漏液を検知することが可能である。同様にして、段数を４段以上に増やしてもよい。
【０２０３】
＜基板処理装置を用いた研磨処理＞
次に、このような構成からなる基板処理装置１０を用いてウェハＷを研磨する処理の一例について説明する。なお、以下に説明する研磨処理は、制御部１５がロード／アンロード部１１、研磨部１２、洗浄部１３、および搬送部１４の動作を制御することにより行われる。
【０２０４】
まず、図１６Ａおよび図１に示すように、フロントロード部１１３のウェハカセットから研磨前のウェハＷは、ロード／アンロード部１１の搬送ロボット１１１により取り出されて、搬送部１４の搬入口４１ａと対向する位置まで移動される。次いで、図１６Ｂおよび図３に示すように、搬送部１４の搬入口４１ａが開けられた後、搬送ロボット１１１に保持されたウェハＷは、搬入口４１ａからカバー４１の内側へと挿入され、スライドステージ４２上に載せられて支持される。
【０２０５】
次に、図１６Ｃおよび図３に示すように、ウェハＷを保持するスライドステージ４２は、ステージ移動機構４３から与えられる動力により、長手方向に沿って搬出口４１ｂと対向する位置まで移動される。そして、搬送部１４の搬出口４１ｂが開けられる。このとき、搬送部１４のカバー４１の内側には、排気ダクト４４により、搬入口４１ａ側から搬出口４１ｂ側へと流れる気流が形成されている。これにより、研磨部１２内のパーティクルが搬送部１４を通ってロード／アンロード部１１内に拡散することが防止される。
【０２０６】
図１７Ａおよび図３に示すように、研磨部１２の搬送ロボット２３のハンド２３１が、搬送部１４の搬出口４１ｂと同じ高さ位置に位置決めされた状態で、搬送ロボット２３のアーム２３２が伸ばされる。アームの先端に支持されたハンド２３１は、搬出口４１ｂを通ってカバー４１の内側へと挿入され、スライドステージ４２上に保持されたウェハＷの下方に差し入れられる。次いで、ハンド２３１が上昇され、ウェハＷはスライドステージ４２からハンド２３１へと受け渡される。そして、アーム２３２が縮められることで、図１７Ｂに示すように、ハンド２３１上に保持されたウェハＷは、搬送部１４から研磨部１２へと取り出される。その後、図１７Ｃに示すように、搬送ロボット２３の反転機構２３４により、ハンド２３１がウェハＷと一緒に上下反転される。なお、図面において、灰色で塗られたウェハＷは上下反転されたウェハを示している。
【０２０７】
次に、図１７Ｄに示すように、アーム２３２がロボット本体２３３の軸線周りに回動され、ハンド２３１が第１搬送ユニット２４ａ側に向けられる。そして、アーム２３２が延ばされ、ハンド２３１に保持されたウェハＷは、第１搬送ユニット２４ａへと受け渡され、第１搬送ユニット２４ａから第１研磨ユニット２０ａへと搬送される。なお、第１研磨ユニット２０ａが混雑している場合などには、ハンド２３１に保持されたウェハＷは、第２搬送ユニット２４ｂへと受け渡され、第２搬送ユニット２４ｂから第２研磨ユニット２０ｂへと基板が搬入されてもよい。本実施の形態では、搬送部１４から研磨部１２へと搬送されてくるウェハＷが、搬送ロボット２３により第１搬送ユニット２４ａおよび第２搬送ユニット２４ｂに振り分けられ、第１搬送ユニット２４ａから第１研磨ユニット２０ａへとウェハＷが搬入されるとともに、第２搬送ユニット２４ｂから第２研磨ユニット２０ｂへとウェハＷが搬入される。そのため、第１研磨ユニット２０ａおよび第２研磨ユニット２０ｂは搬入経路を共有しておらず、第１研磨ユニット２０ａおよび第２研磨ユニット２０ｂへの基板搬入時の混雑が解消される。したがって、プロセス全体のスループットが向上する。
【０２０８】
第２搬送ユニット２４ｂによるウェハ受け渡し動作は、第１搬送ユニット２４ａによるウェハ受け渡し動作と同様であるため、以下、第１搬送ユニット２４ａによるウェハ受け渡し動作について説明する。
【０２０９】
１つのウェハを第１研磨装置２１ａおよび第２研磨装置２１ｂにて連続して（シリーズで）処理する場合には、図１８Ａおよび図１８Ｂに示すように、搬送ロボット２３に保持された研磨前の第１ウェハＷ１は、待機位置Ｌ１に配置されたエクスチェンジャ５０の第３ステージ５２ｃに受け渡される。そして、図１８Ｃに示すように、第１ウェハＷ１を保持する第３ステージ５２ｃは、待機位置Ｌ１から第１基板搬送位置ＴＰ１へ移動される。
【０２１０】
次に、図１８Ｄに示すように、第１プッシャ５１ａが上昇して第３ステージ５２ｃの内側を通過し、第３ステージ５２ｃ上の第１ウェハＷ１が第１プッシャ５１ａにより押し上げられて第１研磨装置２１ａのトップリング２５ａに受け渡される。そして、第１ウェハＷ１が第１研磨装置２１ａのトップリング２５ａに吸着保持された後、図１８Ｅに示すように、第１プッシャ５１ａが初期高さ位置まで下降する。その後、図１８Ｆに示すように、第１研磨装置２１ａの研磨位置にて第１ウェハＷ１の研磨が行われる（より詳しくは、図４を参照し、トップリング２５ａが研磨パッド１０２ａ上に図示しない移動手段により移動され、図示しない昇降手段により研磨パッド１０２ａが、トップリング２５ａに保持された第１ウェハＷ１に当接され、トップリング２５ａと研磨テーブル１０１ａとの相対移動により第１ウェハＷの研磨が行われる。以下、他の研磨装置の研磨位置でのウェハＷの研磨も同様に行われる）。このとき、第３ステージ５２ｃが第１基板搬送位置ＴＰ１から待機位置Ｌ１へ移動されるとともに、第２ステージ５２ｂが待機位置Ｌ１から第１基板搬送位置ＴＰ１へと移動される。搬送ロボット２３は、研磨前の第２ウェハＷ２を保持する。
【０２１１】
第１研磨装置２１ａでの第１ウェハＷ１の研磨が終了した後、図１８Ｇに示すように、第１プッシャ５１ａが上昇して、研磨された第１ウェハＷ１を第１研磨装置２１ａのトップリング２５ａから受け取る。そして、図１８Ｈに示すように、第１プッシャ５１ａが下降して第２ステージ５２ｂを通過し、第１プッシャ５１ａ上の第１ウェハＷ１が第２ステージ５２ｂに受け渡される。第２ステージ５２ｂに保持された第１ウェハＷ１は、第１基板搬送位置ＴＰ１において洗浄ノズル（図示しない）により洗浄される。また、搬送ロボット２３に保持された研磨前の第２ウェハＷ２は、待機位置Ｌ１に配置された第３ステージ５２ｃに受け渡される。
【０２１２】
次に、図１８Ｉに示すように、第１ウェハＷ１を保持する第２ステージ５２ｂが、第１基板搬送位置ＴＰ１から第２搬送位置ＴＰ２へと移動されるのと同時に、第２ウェハＷ２を保持する第３ステージ５２ｃは、待機位置Ｌ１から第１基板搬送位置ＴＰ１へ移動される。このように、それぞれウェハＷ１、Ｗ２を保持する２つのステージ５２ｂ、５２ｃが互いに逆向きに交差するように移動できるため、プロセスのスループットが向上する。
【０２１３】
次に、図１８Ｊに示すように、第２プッシャ５１ｂが上昇して第２ステージ５２ｂの内側を通過し、第２ステージ５２ｂ上の第１ウェハＷ１が第２プッシャ５１ｂにより押し上げられて第２研磨装置２１ｂのトップリング２５ｂに受け渡される。また、第１プッシャ５１ａが上昇して第３ステージ５２ｃの内側を通過し、第３ステージ５２ｃ上の第２ウェハＷ２が第１プッシャ５１ａにより押し上げられて第１研磨装置２１ａのトップリング２５ａに受け渡される。そして、図１８Ｋに示すように、第１ウェハＷ１が第２研磨装置２１ｂのトップリング２５ｂに吸着保持された後、第２プッシャ５１ｂが初期高さ位置まで下降する。また、第２ウェハＷ２が第１研磨装置２１ａのトップリング２５ａに吸着保持された後、第１プッシャ５１ａが初期高さ位置まで下降する。
【０２１４】
その後、図１８Ｌに示すように、第２研磨装置２１ｂにて第１ウェハＷ１の更なる研磨が行われるとともに、第１研磨装置２１ａにて第２ウェハＷ２の研磨が行われる。このとき、第３ステージ５２ｃが第１基板搬送位置ＴＰ１から待機位置Ｌ１へ移動されるとともに、第２ステージ５２ｂが第２基板搬送位置ＴＰ２から第１基板搬送位置ＴＰ１へと移動される。また、第１ステージ５２ａが待機位置Ｌ１から第２基板搬送位置ＴＰ２へと移動される。搬送ロボット２３は、研磨前の第３ウェハＷ３を保持する。
【０２１５】
第２研磨装置２１ｂでの第１ウェハＷ１の研磨が終了した後、図１８Ｍに示すように、第２プッシャ５１ｂが上昇して、研磨された第１ウェハＷ１を第２研磨装置２１ｂのトップリング２５ｂから受け取る。また、第１研磨装置２１ａでの第２ウェハＷ２の研磨が終了した後、第１プッシャ５１ａが上昇して、研磨された第２ウェハＷ２を第１研磨装置２１ａのトップリング２５ａから受け取る。
【０２１６】
そして、図１８Ｎに示すように、第２プッシャ５１ｂが下降して第１ステージ５２ａを通過し、第２プッシャ５１ｂ上の第１ウェハＷ１が第１ステージ５２ａに受け渡される。第１ステージ５２ａに保持された第１ウェハＷ１は、第２基板搬送位置ＴＰ２において洗浄ノズル（図示しない）により洗浄される。また、第１プッシャ５１ａが下降して第２ステージ５２ｂを通過し、第１プッシャ５１ａ上の第２ウェハＷ２が第２ステージ５２ｂに受け渡される。第２ステージ５２ｂに保持された第２ウェハＷ２は、第１基板搬送位置ＴＰ１において洗浄ノズル（図示しない）により洗浄される。搬送ロボット２３に保持された研磨前の第３ウェハＷ３は、待機位置Ｌ１に配置された第３ステージ５２ｃに受け渡される。
【０２１７】
次に、図１８Оに示すように、第１ウェハＷ１を保持する第１ステージ５２ａは、第２基板搬送位置ＴＰ２から待機位置Ｌ１へと移動され、第１ステージ５２ａに保持された第１ウェハＷ１は、搬送ロボット２３により第１ステージ５２ａ上から取り出される。一方、第２ウェハＷ２を保持する第２ステージ５２ｂは、第２研磨装置２１ｂでの研磨処理のために、第１基板搬送位置ＴＰ１から第２基板搬送位置ＴＰ２へ移動される。同時に、第３ウェハＷ３を保持する第３ステージ５２ｃは、第１研磨装置２１ｂでの研磨処理のために、待機位置Ｌ１から第１基板搬送位置ＴＰ１へ移動される。
【０２１８】
２つのウェハを第１研磨装置２１ａおよび第２研磨装置２１ｂにて並行して（パラレルで）処理する場合には、図１９Ａおよび図１９Ｂに示すように、搬送ロボット２３に保持された研磨前の第１ウェハＷ１は、待機位置Ｌ１に配置されたエクスチェンジャ５０の第３ステージ５２ｃに受け渡される。そして、図１９Ｃに示すように、第１ウェハＷ１を保持する第３ステージ５２ｃは、待機位置Ｌ１から第１基板搬送位置ＴＰ１へ移動される。
【０２１９】
次に、図１９Ｄに示すように、第１プッシャ５１ａが上昇して第３ステージ５２ｃの内側を通過し、第３ステージ５２ｃ上の第１ウェハＷ１が第１プッシャ５１ａにより押し上げられて第１研磨装置２１ａのトップリング２５ａに受け渡される。そして、第１ウェハＷ１が第１研磨装置２１ａのトップリング２５ａに吸着保持された後、図１９Ｅに示すように、第１プッシャ５１ａが初期高さ位置まで下降する。搬送ロボット２３は、研磨前の第２ウェハＷ２を保持する。
【０２２０】
その後、図１９Ｆに示すように、第１研磨装置２１ａにて第１ウェハＷ１の研磨が行われる。このとき、第３ステージ５２ｃが第１基板搬送位置ＴＰ１から待機位置Ｌ１へ移動されるとともに、第２ステージ５２ｂが待機位置Ｌ１から第１基板搬送位置ＴＰ１へと移動される。搬送ロボット２３に保持された研磨前の第２ウェハＷ２は、待機位置Ｌ１に配置された第３ステージ５２ｃに受け渡される。そして、図１９Ｇに示すように、第２ウェハＷ２を保持する第３ステージ５２ｃは、待機位置Ｌ１から第２基板搬送位置ＴＰ２へと移動される。
【０２２１】
ところで、第１研磨装置２１ａおよび第２研磨装置２１ｂにてパラレル処理する場合であっても、第１研磨装置２１ａおよび第２研磨装置２１ｂにてシリーズ処理する場合と同様に、第２ステージ５２ｂを用いて第１研磨装置２１ａからのウェハ受取りを行うとともに、同じ第２ステージ５２ｂを用いて第２研磨装置２１ｂへのウェハ受け渡しを行うことも可能である。しかしながら、この場合、図３１に示すように、第１研磨装置２１ａからのウェハ受取り時にトラブルが発生して第２ステージ５２ｂを使用できなくなると、これに引きずられて、第２研磨装置２１ｂへのウェハ受け渡しまでできなくなる（デッドロックが発生する）。
【０２２２】
一方、本実施の形態では、第１研磨装置２１ａおよび第２研磨装置２１ｂにて並行してウェハを研磨する場合には、同じ第３ステージ５２ｃを用いて第１研磨装置２１ａ及び第２研磨装置２１ｂの両方へのウェハ受け渡しを行い、第２ステージ５２ｂおよび第１ステージ５２ａがそれぞれ第１研磨装置２１ａおよび第２研磨装置２１ｂからのウェハ受取り専用とされているため、第１研磨装置２１ａからのウェハ受取り時にトラブルが発生して第２ステージ５２ｂを使用できなくなっても、第２研磨装置２１ｂへのウェハ受け渡しを継続して行うことが可能である（デッドロックが発生しない）。
【０２２３】
次に、図１９Ｈに示すように、第２プッシャ５１ｂが上昇して第３ステージ５２ｃの内側を通過し、第３ステージ５２ｃ上の第２ウェハＷ２が第２プッシャ５１ｂにより押し上げられて第２研磨装置２１ｂのトップリング２５ｂに受け渡される。そして、第２ウェハＷ２が第２研磨装置２１ｂのトップリング２５ｂに吸着保持された後、図１９Ｉに示すように、第２プッシャ５１ｂが初期高さ位置まで下降する。搬送ロボット２３は、研磨前の第３ウェハＷ３を保持する。
【０２２４】
その後、図１９Ｊに示すように、第２研磨装置２１ｂにて第２ウェハＷ２の研磨が行われる。このとき、第３ステージ５２ｃが第２基板搬送位置ＴＰ２から待機位置Ｌ１へ移動されるとともに、第１ステージ５２ａが待機位置Ｌ１から第２基板搬送位置ＴＰ２へと移動される。搬送ロボット２３に保持された研磨前の第３ウェハＷ３は、待機位置Ｌ１に配置された第３ステージ５２ｃに受け渡される。
【０２２５】
第２研磨装置２１ｂでの研磨が終了する前に第１研磨装置２１ａでの研磨が終了したら、図１９Ｋに示すように、第１プッシャ５１ａが上昇して、研磨された第１ウェハＷ１を第１研磨装置２１ａのトップリング２５ａから受け取る。そして、図１９Ｌに示すように、第１プッシャ５１ａが下降して第２ステージ５２ｂを通過し、第１プッシャ５１ａ上の第１ウェハＷ１が第２ステージ５２ｂに受け渡される。第２ステージ５２ｂに保持された第１ウェハＷ１は、第１基板搬送位置ＴＰ１において洗浄ノズル（図示しない）により洗浄される。
【０２２６】
次に、図１９Ｍに示すように、第１ウェハＷ１を保持する第２ステージ５２ｂが、第１基板搬送位置ＴＰ１から待機位置Ｌ１へと移動されるのと同時に、第３ウェハＷ３を保持する第３ステージ５２ｃは、待機位置Ｌ１から第１基板搬送位置ＴＰ１へ移動される。第２ステージ５２ｂに保持された第１ウェハＷ１は、待機位置Ｌ１にて搬送ロボット２３により第２ステージ５２ｂ上から取り出される。
【０２２７】
一方、第１研磨装置２１ａでの研磨が終了する前に第２研磨装置２１ｂでの研磨が終了したら、図１９Ｎに示すように、第２プッシャ５１ｂが上昇して、研磨された第２ウェハＷ２を第２研磨装置２１ｂのトップリング２５ｂから受け取る。そして、図１９Ｏに示すように、第２プッシャ５１ｂが下降して第１ステージ５２ａを通過し、第２プッシャ５１ｂ上の第２ウェハＷ２が第１ステージ５２ａに受け渡される。第１ステージ５２ａに保持された第２ウェハＷ２は、第２基板搬送位置ＴＰ２において洗浄ノズル（図示しない）により洗浄される。
【０２２８】
次に、図１９Ｐに示すように、第２ウェハＷ２を保持する第１ステージ５２ａが、第２基板搬送位置ＴＰ２から待機位置Ｌ１へと移動されるのと同時に、第３ウェハＷ３を保持する第３ステージ５２ｃは、待機位置Ｌ１から第２基板搬送位置ＴＰ２へ移動される。第１ステージ５２ａに保持された第２ウェハＷ２は、待機位置Ｌ１にて搬送ロボット２３により第１ステージ５２ａ上から取り出される。
【０２２９】
上述した内容の繰り返しになるが、図２０Ａに示すように、第１ステージ５２ａ上に保持されたウェハＷは、搬送ロボット２３のハンド２３１により第１ステージ５２ａ上から取り出される。その後、搬送ロボット２３の反転機構２３４により、ハンド２３１がウェハＷと一緒に上下反転される。
【０２３０】
次に、図２０Ｂに示すように、搬送ロボット２３のアーム２３２がロボット本体２３３の軸線周りに回動され、ハンド２３１が洗浄部１３の第１洗浄ユニット３０ａの第１ウェハステーション３３ａ側に向けられる。そして、図２０Ｃに示すように、アーム２３２が延ばされ、ハンド２３１に保持されたウェハＷは、第１ウェハステーション３３ａへと受け渡される。より詳しくは、搬送ロボット２３のハンド２３１が、第１ウェハステーション３３ａの搬入口７３と同じ高さ位置に位置決めされた状態で、アーム２３２が延ばされ、ハンド２３１に保持されたウェハＷは、第１ウェハステーション３３ａの搬入口７３を通って筐体７１の内側へと搬入され、ステージ７２上に載せられて支持される。
【０２３１】
なお、第１洗浄ユニット３０ａが混雑している場合などには、ハンド２３１に保持されたウェハＷは、第２洗浄ユニット３０ａの第２ウェハステーション３３ｂへと受け渡されてもよい。本実施の形態では、研磨部から洗浄部へと搬送されてくるウェハＷが、搬送ロボット２３により第１洗浄ユニット３０ａおよび第２洗浄ユニット３０ｂに振り分けられ、第１洗浄ユニット３０ａおよび第２洗浄ユニット３０ｂにて並行して洗浄される。したがって、プロセス全体のスループットが向上する。
【０２３２】
第２洗浄ユニット３０ｂにおけるウェハ洗浄処理は、第１洗浄ユニット３０ａにおけるウェハ洗浄処理と同様であるため、以下、第１洗浄ユニット３０ａにおけるウェハ洗浄処理について説明する。
【０２３３】
図２１Ａに示すように、まず、一対の第１アーム６１１および一対の第２アーム６１２がそれぞれ先端を上向きに向けられた状態で、アーム搬送機構６２の駆動により、第１ウェハ把持機構６０１および第２ウェハ把持機構６０２が第１洗浄モジュール３１１ａ〜３１４ａの配列方向に沿って移動され、一対の第１アーム６１１が第１ウェハステーション３３ａに隣接する待機位置にて静止される。そして、第１回動機構６３１の駆動により、一対の第１アーム６１１は回転軸６３１Ａを中心として回動され、一対の第１アーム６１１の先端は横向きに向けられる。第１ウェハステーション３３ａのシャッタが退避されてアーム通過用開口７４が開けられた後、一対の第１アーム６１１がアーム通過用開口７４を通って第１ウェハステーション３３ａの内側に挿入され、ステージ７２上に保持されたウェハＷを把持する。ウェハＷが一対の第１アーム６１１に把持された後、ステージ７２は下方に退避される。
【０２３４】
次に、図２１Ｂに示すように、１次洗浄モジュール３１１ａのシャッタ９７が退避されてアーム通過用開口９４が開けられた後、ハンド搬送機構６２の駆動により、第１ウェハ把持機構６０１および第２ウェハ把持機構６０２が洗浄モジュール３１１ａ〜３１４ａの配列方向に沿って移動され、一対の第１アーム６１１に把持されたウェハＷは、第１ウェハステーション３３ａから１次洗浄モジュール３１１ａへと搬送され、１次洗浄モジュール３１１ａの洗浄機に受け渡される。次いで、一対の第１アーム６１１が１次洗浄モジュール３１１ａの筐体９１の外側に出された後、アーム通過用開口９４がシャッタ９７により閉じられ、１次洗浄モジュール３１１ａの洗浄機にてウェハＷの洗浄が行われる。
【０２３５】
１次洗浄モジュール３１１ａでの洗浄処理が終了した後、シャッタ９７が退避されてアーム通過用開口９４が開けられる。一対の第１アーム６１１がアーム通過用開口９４を通って１次洗浄モジュール３１１ａの筐体９１の内側に挿入され、洗浄機にて洗浄されたウェハＷを把持する。
【０２３６】
次に、図２１Ｃに示すように、２次洗浄モジュール３１２ａのシャッタ９７が退避されてアーム通過用開口９４が開けられた後、アーム搬送機構６２の駆動により、第１ウェハ把持機構６０１および第２ウェハ把持機構６０２が洗浄モジュール３１１ａ〜３１４ａの配列方向に沿って移動され、一対の第１アーム６１１に把持されたウェハＷは、１次洗浄モジュール３１１ａから２次洗浄モジュール３１２ａへと搬送され、２次洗浄モジュール３１２ａの洗浄機に受け渡される。次いで、一対の第１アーム６１１が２次洗浄モジュール３１２ａの筐体９１の外側に出された後、アーム通過用開口９４がシャッタ９７により閉じられ、２次洗浄モジュール３１２ａの洗浄機にてウェハＷの洗浄が行われる。
【０２３７】
次に、図２１Ｄに示すように、第１回動機構６３１の駆動により、一対の第１アーム６１１は回転軸６３１Ａを中心として回動され、一対の第１アーム６１１の先端は上向きに向けられる。そして、一対の第１アーム６１１および一対の第２アーム６１２がそれぞれ先端を上向きに向けられた状態で、アーム搬送機構６２の駆動により、第１ウェハ把持機構６０１および第２ウェハ把持機構６０２が第１洗浄モジュール３１１ａ〜３１４ａの配列方向に沿って移動され、一対の第２アーム６１２が第２洗浄モジュール３１２ａに隣接する待機位置にて静止される。第２回動機構６３２の駆動により、一対の第２アーム６１２は回転軸６３２Ａを中心として回動され、一対の第２アーム６１２の先端は横向きに向けられる。
【０２３８】
２次洗浄モジュール３１２ａでの洗浄処理が終了した後、シャッタ９７が退避されてアーム通過用開口９４が開けられる。一対の第２アーム６１２がアーム通過用開口９４を通って２次洗浄モジュール３１２ａの筐体９１の内側に挿入され、洗浄機にて洗浄されたウェハＷを把持する。
【０２３９】
このように、本実施の形態では、２次洗浄モジュール３１２ａでの洗浄前のウェハＷは一対の第１アーム６１１により把持されて搬送され、２次洗浄モジュール３１２ａでの洗浄後のウェハＷは一対の第２アーム６１２により把持されて搬送される。すなわち、２次洗浄モジュール３１２ａにおいてアームが交換される。これにより、２次洗浄モジュール３１２ａでの洗浄後のウェハＷに一対の第１アーム６１１が接触して当該ウェハＷが汚染されることを防止できる。
【０２４０】
次に、図２１Ｅに示すように、３次洗浄モジュール３１３ａのシャッタ９７が退避されてアーム通過用開口９４が開けられた後、アーム搬送機構６２の駆動により、第１ウェハ把持機構６０１および第２ウェハ把持機構６０２が洗浄モジュール３１１ａ〜３１４ａの配列方向に沿って移動され、一対の第２アーム６１２に把持されたウェハＷは、２次洗浄モジュール３１２ａから３次洗浄モジュール３１３ａへと搬送され、３次洗浄モジュール３１３ａの洗浄機に受け渡される。次いで、一対の第２アーム６１２が３次洗浄モジュール３１３ａの筐体９１の外側に出された後、アーム通過用開口９４がシャッタ９７により閉じられ、３次洗浄モジュール３１３ａの洗浄機にてウェハＷの洗浄が行われる。
【０２４１】
３次洗浄モジュール３１３ａでの洗浄処理が終了した後、シャッタ９７が退避されてアーム通過用開口９４が開けられる。一対の第２アーム６１２がアーム通過用開口９４を通って３次洗浄モジュール３１３ａの筐体９１の内側に挿入され、洗浄機にて洗浄されたウェハＷを把持する。
【０２４２】
次に、図２１Ｆに示すように、４次洗浄モジュール３１４ａのシャッタ９７が退避されてアーム通過用開口９４が開けられた後、アーム搬送機構６２の駆動により、第１ウェハ把持機構６０１および第２ウェハ把持機構６０２が洗浄モジュール３１１ａ〜３１４ａの配列方向に沿って移動され、一対の第２アーム６１２に把持されたウェハＷは、３次洗浄モジュール３１３ａから４次洗浄モジュール３１４ａへと搬送され、４次洗浄モジュール３１４ａの洗浄機に受け渡される。次いで、一対の第２アーム６１２が４次洗浄モジュール３１４ａの筐体９１の外側に出された後、アーム通過用開口９４がシャッタ９７により閉じられ、４次洗浄モジュール３１４ａの洗浄機にてウェハＷの洗浄及び乾燥が行われる。
【０２４３】
４次洗浄モジュール３１４ａでの洗浄及び乾燥処理が終了した後、シャッタ９７が退避されてアーム通過用開口９４が開けられる。上述したロード／アンロード部１１の搬送ロボット１１１のハンドがアーム通過用開口９４を通って４次洗浄モジュール３１４ａの筐体９１の内側に挿入され、洗浄機にて洗浄され、最後の工程として（例えばスピン）乾燥処理されたウェハＷがロード／アンロード部１１へと取り出される。
【０２４４】
以上のような本実施の形態によれば、研磨部１２の各研磨装置２１ａ〜２１ｄにおいて、一対の補助ユニット取付部５０１ａ、５０１ｂおよび５０２ａ、５０２ｂが、トップリング３０１Ａの揺動中心と研磨テーブル３００Ａの回転中心とを結ぶ直線Ｌａに対して左右対称の位置に設けられているため、研磨中の研磨パッド３０５Ａに対して処理を行う補助ユニット３０９Ａの配置を、研磨テーブル３００Ａの回転方向に応じて、前記直線Ｌａに対して左右対称に切り替えることが可能である。これにより、研磨中の研磨パッド３０５Ａの回転方向とウエハＷに対する補助ユニット３０９Ａの位置関係を維持しながら、研磨装置２１ａ〜２１ｄごとに研磨テーブル３００Ａの回転方向を変更できる。
【０２４５】
また、本実施の形態によれば、第１研磨装置２１ａのトップリングの揺動中心と第２研磨装置２１ｂのトップリングの揺動中心との間の距離Ｄａ１が、第１研磨装置２１ａの研磨テーブルの回転中心と第２研磨装置２１ｂの研磨テーブルの回転中心との間の距離Ｄａ２より短く、第３研磨装置２１ｃのトップリングの揺動中心と第４研磨装置２１ｄのトップリングの揺動中心との間の距離Ｄｂ１が、第３研磨装置２１ｃの研磨テーブルの回転中心と第４研磨装置２１ｄの研磨テーブルの回転中心との間の距離Ｄｂ２より短いため、第２研磨装置２１ｂのトップリングの揺動範囲と第３研磨装置２１ｃのトップリングの揺動範囲との間の間隔が広がり、装置中央に搬送ロボット２３の配置スペースを確保して、装置の小型化を実現することが可能となる。
【０２４６】
また、本実施の形態によれば、洗浄部１３が上下二段に配置された第１洗浄ユニット３０ａおよび第２洗浄ユニット３０ｂを有しているため、複数のウェハＷが連続的に研磨部１２から洗浄部１３へと搬送されてくる場合であっても、第１洗浄ユニット３０ａおよび第２洗浄ユニット３０ｂにウェハＷを振り分けることにより、これら複数のウェハＷを並行して洗浄することができる。したがって、プロセス全体のスループットを向上させることができる。
【０２４７】
また、本実施の形態によれば、研磨前のウェハＷが搬送部１４のスライドステージ４２より研磨部１２へと搬送されるため、ロード／アンロード部１１に配置された搬送ロボット１１１が研磨環境に触れて汚染されることを防止できる。
【０２４８】
また、本実施の形態によれば、第１洗浄ユニット３０ａおよび第２洗浄ユニット３０ａは上下二段に配置されており、スライドステージ４２が第１洗浄ユニット３０ａと第２洗浄ユニット３０ｂとの間に配置されているため、装置全体のフットプリントの増大を抑制できる。
【０２４９】
また、本実施の形態によれば、研磨部搬送機構２２が搬送部１４と第１研磨ユニット２０ａおよび第２研磨ユニット２０ｂのそれぞれに隣接するように配置されており、搬送部１４から研磨部１２へと搬送されてくるウェハＷは、研磨部搬送機構２２の搬送ロボット２３により第１搬送ユニット２４ａおよび第２搬送ユニット２４ｂに振り分けられる。そして、第１搬送ユニット２４ａから第１研磨ユニット２０ａへとウェハＷが搬入されるとともに、第２搬送ユニット２４ｂから第２研磨ユニット２０ｂへとウェハＷが搬入される。このように、第１研磨ユニット２０ａおよび第２研磨ユニット２０ｂはウェハの搬入経路を共有していないから、第１研磨ユニット２０ａおよび第２研磨ユニット２０ｂへのウェハ搬入時の混雑が解消される。これにより、プロセス全体のスループットを向上させることができる。
【０２５０】
また、本実施の形態によれば、第１洗浄ユニット３０ａの洗浄モジュール３１１ａ〜３１４ａのいずれかに異常が発生した場合であっても、第１洗浄ユニット３０ａ内に位置するウェハＷが第２洗浄ユニット３０ｂへと搬送されて洗浄されることで、第１洗浄ユニット３０ａ内に位置するウェハＷを救済することができる。
【０２５１】
また、本実施の形態によれば、研磨部１２の第１搬送ユニット２４ａは、搬送ロボット２３から受け取ったウェハＷを第１研磨装置２１ａおよび第２研磨装置２１ｂの各々に搬送することができる。また、研磨部１２の第２搬送ユニット２４ｂは、搬送ロボット２３から受け取ったウェハＷを第３研磨装置２１ｃおよび第４研磨装置２１ｄの各々に搬送することができる。例えば、第１搬送ユニット２４ａの第１ステージ５２ａが搬送ロボット２３から第１ウェハを受け取って第１基板搬送位置ＴＰ１に移動し、第１プッシャ５１ａが上昇して第１ステージ５２ａから第１研磨装置２１ａへと第１ウェハを受け渡し、第１ウェハを第１研磨装置２１ａにて研磨している間に、第２ステージ５２ｂが搬送ロボット２３から第２ウェハを受け取って第２基板搬送位置ＴＰ２に移動し、第２プッシャ５１ｂが上昇して第２ステージ５２ｂから第２研磨装置２１ｂへと第２ウェハを受け渡し、第２ウェハを第２研磨装置２１ｂにて研磨することができる。このように２枚のウェハを並行して研磨することで、プロセス全体のスループットを向上させることができる。また、第１研磨装置２１ａにてウェハを研磨した後、第１プッシャ５１ａが下降して第１研磨装置２１ａから第２ステージ５２ｂへとその基板を受け渡し、第２ステージ５２ｂが第２基板搬送位置ＴＰ２に移動し、第２プッシャ５１ｂが上昇して第２ステージ５２ｂから第２研磨装置２１ｂへとウェハを受け渡し、そのウェハを第２研磨装置２１ｂにてさらに連続して研磨することも可能である。
【０２５２】
また、本実施の形態によれば、研磨部１２のエクスチェンジャ５０が３つのステージ５２ａ〜５２ｃを有しているため、例えば第１ステージ５２ａおよび第２ステージ５２ｂの両方を第１研磨装置２１ａおよび第２研磨装置２１ｂとのウェハの受け渡しに使用している間に、第３ステージ５２ｃに次のウェハを受け取らせて待機させておくことができる。これにより、次のウェハに対する研磨処理の開始タイミングを早くすることができ、スループットをさらに向上させることができる。
【０２５３】
また、本実施の形態によれば、第１研磨装置２１ａおよび第２研磨装置２１ｂにて並行して（パラレルに）第１ウェハＷ１および第２ウェハＷ２を研磨する場合に、同じ第３ステージ５２ｃを用いて第１研磨装置２１ａ及び第２研磨装置２１ｂの両方へのウェハ受け渡しを行い、第２ステージ５２ｂおよび第１ステージ５２ａがそれぞれ第１研磨装置２１ａおよび第２研磨装置２１ｂからのウェハ受取り専用とされるため、一方の研磨装置２１ａからのウェハ受取り時にトラブルが発生したとしても、他方の研磨装置２１ｂへのウェハ受け渡しを継続して行うことができる（デッドロックの発生を回避できる）。
【０２５４】
また、本実施の形態によれば、各洗浄モジュール３１１ａ〜３１４ａ間にてウェハＷを搬送する洗浄部搬送機構３２ａが開閉可能な一対のアーム６１１と回動機構６３１とを有しており、回動機構６３１が一対のアーム６１１を先端が上向きになるように回動させることができるため、複数の洗浄モジュール３１１ａ〜３１４ａのうち特定の洗浄モジュールのシャッタ９７が閉まっていても、この洗浄モジュールを回避して（スキップして）アーム６１１を移動させることができる。したがって、この洗浄モジュールを通過するようにアーム６１１を移動させる際に、シャッタ９７が開くのを待つ必要がなくなり、プロセス全体のスループットを向上させることができる。
【０２５５】
また、本実施の形態によれば、回動機構６３１が一対のアーム６１１を先端が上向きになるように回動させる際に、上下移動機構６４１が一対のアーム６１１を下降させるため、一対のアーム６１１の上方に必要なスペースを削減できる。
【０２５６】
また、本実施の形態によれば、一対のアーム６１１、６１２と上下移動機構６４１、６４２と回動機構６３１、６３２とからなる組を２組有しているため、保持すべきウェハの清浄度に応じて２組のアームを使い分けることができる。例えば、各洗浄モジュールでの洗浄処理のうち前半の洗浄処理では一方の組のアームを使用し、後半の洗浄処理では他方の組のアームを使用することで、後半の洗浄処理を受けているウェハが一方の組のアームに接して汚染されることを防止できる。
【０２５７】
また、本実施の形態によれば、一対のアーム６１１には、ウェハの外周部に当接可能なチャックコマ６１２ａ、６１２ｂが上下二段に設けられているため、保持すべきウェハの清浄度に応じてチャックコマ６１２ａ、６１２ｂを使い分けることができる。例えば、各洗浄モジュールでの洗浄処理のうち前半の洗浄処理では下段のチャックコマ６１２ｂを使用し、後半の洗浄処理では上段のチャックコマ６１２ａを使用することで、後半の洗浄処理を受けているウェハが下段のチャックコマ６１２ｂに接して汚染されることを防止できる。
【０２５８】
また、本実施の形態によれば、一対のアーム６１１と上下移動機構６４１と回動機構６３１とを有するウェハ把持機構６０１がアーム搬送機構６２の下方に懸垂状に配置されているため、ウェハ把持機構６０１のメンテナンススペースを拡大される。したがって、メンテナンスに要する時間を短縮することができる。
【０２５９】
また、本実施の形態によれば、研磨前のウェハＷを研磨装置１２にて研磨する前に、予備洗浄モジュール３９ａにて当該ウェハＷの表面を洗浄しておくことができる。これにより、ウェハＷの研磨処理中に粗大粒子を噛み込んでスクラッチが発生するなどのトラブルを低減できる。
【０２６０】
なお、上述した実施の形態では、２次洗浄モジュール３１２ａでの洗浄前のウェハＷが一対の第１アーム６１１により把持されて搬送され、２次洗浄モジュール３１２ａでの洗浄後のウェハＷが一対の第２アーム６１２により把持されて搬送されたが、これに限定されない。例えば、１次洗浄モジュール３１１ａでの洗浄前のウェハＷが一対の第１アーム６１１により把持されて搬送され、１次洗浄モジュール３１１ａでの洗浄後のウェハＷが一対の第２アーム６１２により把持されて搬送されてもよいし、３次洗浄モジュール３１３ａでの洗浄前のウェハＷが一対の第１アーム６１１により把持されて搬送され、３次洗浄モジュール３１３ａでの洗浄後のウェハＷが一対の第２アーム６１２により把持されて搬送されてもよい。
【０２６１】
また、上述した実施の形態では、研磨部１２の搬送ユニット（例えば第１搬送ユニット２４ａ）が、２台の研磨装置（第１研磨装置２１ａおよび第２研磨装置２１ｂ）の各々に対する２箇所の基板搬送位置（第１基板搬送位置ＴＰ１および第２基板搬送位置ＴＰ２）に配置され、上下移動する２台のプッシャ（第１プッシャ５１ａと第２プッシャ５１ｂ）と、上下２段に配置され、搬送ロボット２３に対してウェハＷの受け渡しを行う待機位置Ｌ１と２箇所の基板搬送位置ＴＰ１、ＴＰ２との間を互いに独立に水平移動する少なくとも２台のステージ（第１ステージ５２ａおよび第２ステージ５２ｂ）を含むエクスチェンジャ５０と、を有していたが、これに限定されず、研磨部１２の搬送ユニットが、Ｍ台（Ｍは３以上の自然数）の研磨装置の各々に対するＭ箇所の基板搬送位置に配置され、上下移動するＭ台のプッシャと、上下Ｍ段に配置され、搬送ロボット２３に対してウェハＷの受け渡しを行う待機位置Ｌ１とＭ箇所の基板搬送位置との間を互いに独立に水平移動する少なくともＭ台のステージを含むエクスチェンジャ５０とを有していてもよい。この場合、エクスチェンジャ５０は、Ｍ台のステージに対して上下多段に配置され、待機位置Ｌ１とＭ箇所の基板搬送位置との間をＭ台のステージとは独立に水平移動する少なくとも１台の更なるステージを有していることが好ましい。
【０２６２】
また、図１８Ａ〜図１８О、図１９Ａ〜図１９Ｐに示す例では、待機位置Ｌ１が、第１基板搬送位置ＴＰ１および第２基板搬送位置ＴＰ２よりも搬送ロボット２３側（紙面右側）に位置決めされているが、このような位置関係に限定されるものではなく、待機位置Ｌ１は、第１基板搬送位置ＴＰ１と第２基板搬送位置ＴＰ２との間に位置決めされていてもよいし、第１基板搬送位置ＴＰ１および第２基板搬送位置ＴＰ２に対して搬送ロボット２３とは逆側（紙面左側）に位置決めされていてもよい。
【０２６３】
なお、上述の実施形態では、ウェハを研磨する研磨装置を例に説明したが、本発明は研磨装置に限らず他の基板処理装置にも適用できるものである。例えば、複数の研磨ユニットを他の基板処理ユニット（例えば、めっき処理ユニットやＣＶＤユニットなどの成膜処理ユニット、ウェットエッチングユニットやドライエッチングユニットなど）に置き換え、研磨装置とは別の基板処理装置を構成してもよい。また、異なる複数の基板処理ユニットを組み合わせ、これらを所定の方向に並べて配置してもよい。
【０２６４】
これまで本発明の好ましい実施形態について説明したが、本発明は上述の実施形態に限定されず、その技術的思想の範囲内において種々異なる形態にて実施されてよいことは言うまでもない。
【符号の説明】
【０２６５】
１０    基板処理装置
１１    ロード／アンロード部
１２    研磨部
１３    洗浄部
１４    搬送部
１５    制御部
２０ａ  第１研磨ユニット
２０ｂ  第２研磨ユニット
２１ａ  第１研磨装置
２１ｂ  第２研磨装置
２１ｃ  第３研磨装置
２１ｄ  第４研磨装置
２２    研磨部搬送機構
２３    搬送ロボット
２３１  ハンド
２３２  アーム
２３３  ロボット本体
２３４  反転機構
２４ａ  第１搬送ユニット
２４ｂ  第２搬送ユニット
３００Ａ  研磨テーブル
３０１Ａ  トップリング
３０２Ａ  研磨液供給ノズル
３０３Ａ  ドレッシング装置
３０４Ａ  アトマイザ
３０５Ａ  研磨パッド
３０６Ａ  研磨パッド温調スライダ
３０９Ａ  補助ユニット
５０１ａ、５０１ｂ、５０２ａ、５０２ｂ  補助ユニット取付部
１ａ、１ｂ  第１終点検知センサ
２、２ａ、２ｂ  第２終点検知センサ
Ｌａ    トップリングの揺動中心と研磨テーブルの回転中心とを結ぶ直線
Ｌｂ    研磨テーブルの回転中心を通る直線（研磨テーブル上基準線）
【図１】
2020142329.tif 000003
【図２】
2020142329.tif 000004
【図３】
2020142329.tif 000005
【図４Ａ】
2020142329.tif 000006
【図４Ｂ】
2020142329.tif 000007
【図４Ｃ】
2020142329.tif 000008
【図５】
2020142329.tif 000009
【図６】
2020142329.tif 000010
【図７】
2020142329.tif 000011
【図８】
2020142329.tif 000012
【図９】
2020142329.tif 000013
【図１０】
2020142329.tif 000014
【図１１】
2020142329.tif 000015
【図１２】
2020142329.tif 000016
【図１３Ａ】
2020142329.tif 000017
【図１３Ｂ】
2020142329.tif 000018
【図１３Ｃ】
2020142329.tif 000019
【図１３Ｄ】
2020142329.tif 000020
【図１３Ｅ】
2020142329.tif 000021
【図１３Ｆ】
2020142329.tif 000022
【図１４】
2020142329.tif 000023
【図１５】
2020142329.tif 000024
【図１６Ａ】
2020142329.tif 000025
【図１６Ｂ】
2020142329.tif 000026
【図１６Ｃ】
2020142329.tif 000027
【図１７Ａ】
2020142329.tif 000028
【図１７Ｂ】
2020142329.tif 000029
【図１７Ｃ】
2020142329.tif 000030
【図１７Ｄ】
2020142329.tif 000031
【図１８Ａ】
2020142329.tif 000032
【図１８Ｂ】
2020142329.tif 000033
【図１８Ｃ】
2020142329.tif 000034
【図１８Ｄ】
2020142329.tif 000035
【図１８Ｅ】
2020142329.tif 000036
【図１８Ｆ】
2020142329.tif 000037
【図１８Ｇ】
2020142329.tif 000038
【図１８Ｈ】
2020142329.tif 000039
【図１８Ｉ】
2020142329.tif 000040
【図１８Ｊ】
2020142329.tif 000041
【図１８Ｋ】
2020142329.tif 000042
【図１８Ｌ】
2020142329.tif 000043
【図１８Ｍ】
2020142329.tif 000044
【図１８Ｎ】
2020142329.tif 000045
【図１８Ｏ】
2020142329.tif 000046
【図１９Ａ】
2020142329.tif 000047
【図１９Ｂ】
2020142329.tif 000048
【図１９Ｃ】
2020142329.tif 000049
【図１９Ｄ】
2020142329.tif 000050
【図１９Ｅ】
2020142329.tif 000051
【図１９Ｆ】
2020142329.tif 000052
【図１９Ｇ】
2020142329.tif 000053
【図１９Ｈ】
2020142329.tif 000054
【図１９Ｉ】
2020142329.tif 000055
【図１９Ｊ】
2020142329.tif 000056
【図１９Ｋ】
2020142329.tif 000057
【図１９Ｌ】
2020142329.tif 000058
【図１９Ｍ】
2020142329.tif 000059
【図１９Ｎ】
2020142329.tif 000060
【図１９Ｏ】
2020142329.tif 000061
【図１９Ｐ】
2020142329.tif 000062
【図２０Ａ】
2020142329.tif 000063
【図２０Ｂ】
2020142329.tif 000064
【図２０Ｃ】
2020142329.tif 000065
【図２１Ａ】
2020142329.tif 000066
【図２１Ｂ】
2020142329.tif 000067
【図２１Ｃ】
2020142329.tif 000068
【図２１Ｄ】
2020142329.tif 000069
【図２１Ｅ】
2020142329.tif 000070
【図２１Ｆ】
2020142329.tif 000071
【図２２Ａ】
2020142329.tif 000072
【図２２Ｂ】
2020142329.tif 000073
【図２２Ｃ】
2020142329.tif 000074
【図２２Ｄ】
2020142329.tif 000075
【図２２Ｅ】
2020142329.tif 000076
【図２３】
2020142329.tif 000077
【図２４】
2020142329.tif 000078
【図２５】
2020142329.tif 000079
【図２６】
2020142329.tif 000080
【図２７】
2020142329.tif 000081
【図２８Ａ】
2020142329.tif 000082
【図２８Ｂ】
2020142329.tif 000083
【図２８Ｃ】
2020142329.tif 000084
【図２８Ｄ】
2020142329.tif 000085
【図２８Ｅ】
2020142329.tif 000086
【図２９Ａ】
2020142329.tif 000087
【図２９Ｂ】
2020142329.tif 000088
【図２９Ｃ】
2020142329.tif 000089
【図２９Ｄ】
2020142329.tif 000090
【図２９Ｅ】
2020142329.tif 000091
【図２９Ｆ】
2020142329.tif 000092
【図２９Ｇ】
2020142329.tif 000093
【図２９Ｈ】
2020142329.tif 000094
【図２９Ｉ】
2020142329.tif 000095
【図３０Ａ】
2020142329.tif 000096
【図３０Ｂ】
2020142329.tif 000097
【図３０Ｃ】
2020142329.tif 000098
【図３０Ｄ】
2020142329.tif 000099
【図３０Ｅ】
2020142329.tif 000100
【図３０Ｆ】
2020142329.tif 000101
【図３０Ｇ】
2020142329.tif 000102
【図３０Ｈ】
2020142329.tif 000103
【図３０Ｉ】
2020142329.tif 000104
【図３１】
2020142329.tif 000105
【図３２】
2020142329.tif 000106
【図３３】
2020142329.tif 000107
【図３４】
2020142329.tif 000108
【図３５】
2020142329.tif 000109
【図３６】
2020142329.tif 000110
【図３７】
2020142329.tif 000111
【図３８】
2020142329.tif 000112